(57)【要約】【課題】駆動データが表す発光パターンと異なる発光パターンで発光体が発光することを防止することができる遊技機を提供すること。【解決手段】サブＣＰＵ１２０は、各ドライバＩＣ１２１〜１３１にＬＥＤを駆動するための駆動データを出力して制御する。サブＣＰＵ１２０は、３線式シリアルでマスタドライバＩＣ１２１に駆動データを出力する。スレーブドライバＩＣ１２２〜１３１は、マスタドライバＩＣに直接に、又は、他のスレーブドライバＩＣを介して接続されている。各ドライバＩＣ１２１〜１２３、１２７〜１２９は、差動信号で他のスレーブドライバＩＣに駆動データを出力する。各ドライバＩＣ１２１〜１３１間は、駆動データを伝送するためのデータポジティブ及びデータネガティブのペアラインと、駆動データの同期用クロックを伝送するためのクロックポジティブ及びクロックネガティブのペアラインとによって接続されている。【選択図】図９
2019166009.tif 000002
【特許請求の範囲】
【請求項１】
複数の発光体と、
前記発光体を駆動するための複数のドライバと、
前記ドライバに前記発光体を駆動するための駆動データを出力して制御する制御部と、を備え、
前記ドライバは、前記制御部に接続されたマスタドライバと、複数のスレーブドライバとにより構成され、
前記複数のスレーブドライバは、前記マスタドライバに直接、又は、他のスレーブドライバを介してそれぞれ接続され、
前記マスタドライバ及び前記スレーブドライバの各ドライバは、
ドライバアドレスを設定可能なアドレス設定端子と、
前記駆動データをシリアル通信で入力するための入力端子と、
前記入力端子に前記駆動データを差動信号で入力させるか、３線式シリアルで入力させるかを設定可能な入力設定端子と、
前記入力端子に入力された駆動データを差動信号で出力する出力回路と、
前記発光体を駆動させるための駆動回路と、を有して構成され、
前記制御部は、前記３線式シリアルで前記マスタドライバに前記駆動データを出力し、
前記マスタドライバは、前記入力端子に前記駆動データを３線式シリアルで入力させるように前記入力設定端子が設定され、
前記スレーブドライバは、前記入力端子に前記駆動データを差動信号で入力させるように前記入力設定端子が設定され、
前記マスタドライバ及び前記スレーブドライバの各ドライバは、前記入力端子に入力された前記駆動データのドライバアドレスが前記アドレス設定端子により設定されたドライバアドレスと一致した場合に、該駆動データに基づいて前記駆動回路より前記発光体を駆動させるための駆動信号を出力し、
前記マスタドライバ及び前記スレーブドライバの各ドライバ間は、
前記駆動データを伝送するためのデータポジティブ及びデータネガティブのペアラインと、
前記データポジティブ及び前記データネガティブのペアラインにより伝送される駆動データの同期用クロックを伝送するためのクロックポジティブ及びクロックネガティブのペアラインとによって接続されていることを特徴とする遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「遊技媒体」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御装置とを備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、いわゆるパチスロと称される遊技機が知られている。
【０００３】
この種の遊技機として、サブ制御装置とシリアル通信で接続されたＬＥＤドライバＩＣがサブ制御装置の制御により演出用ＬＥＤの発光駆動を行うものが特許文献１に提案されている。
【先行技術文献】
【特許文献】
【０００４】
【特許文献１】特開２０１７−１４３８５４号公報
【発明の概要】
【発明が解決しようとする課題】
【０００５】
一般的に、シリアル通信はノイズに弱く、演出用ＬＥＤなどの発光体の駆動データをシリアル回線で伝送した場合、シリアル回線にノイズが混入すると、ＬＥＤドライバＩＣが誤動作し、駆動データが表す発光パターンと異なる発光パターンで発光体を駆動する不具合が発生する場合がある。
【０００６】
本発明は、このような課題を解決するためになされたもので、駆動データが表す発光パターンと異なる発光パターンで発光体が発光することを防止することができる遊技機を提供することを目的とする。
【課題を解決するための手段】
【０００７】
本発明に係る遊技機は、
複数の発光体（ＬＥＤモジュールのＬＥＤ）と、
前記発光体を駆動するための複数のドライバ（ドライバ１２１〜１３１）と、
前記ドライバに前記発光体を駆動するための駆動データを出力して制御する制御部（サブＣＰＵ１２０）と、を備え、
前記ドライバは、前記制御部に接続されたマスタドライバ（ドライバ１２１）と、複数のスレーブドライバ（例えば、ドライバ１２２〜１３１）とにより構成され、
前記複数のスレーブドライバは、前記マスタドライバに直接、又は、他のスレーブドライバを介してそれぞれ接続され、
前記マスタドライバ及び前記スレーブドライバの各ドライバは、
ドライバアドレスを設定可能なアドレス設定端子（Ａ０〜Ａ５）と、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記入力端子に前記駆動データを差動信号で入力させるか、３線式シリアルで入力させるかを設定可能な入力設定端子（ＭＯＤＥ）と、
前記入力端子に入力された駆動データを差動信号で出力する出力回路（各ドライバ１２１〜１３１）と、
前記発光体を駆動させるための駆動回路（例えば、各ドライバ１２１〜１３１）と、を有して構成され、
前記制御部は、前記３線式シリアルで前記マスタドライバに前記駆動データを出力し、
前記マスタドライバは、前記入力端子に前記駆動データを３線式シリアルで入力させるように前記入力設定端子が設定され、
前記スレーブドライバは、前記入力端子に前記駆動データを差動信号で入力させるように前記入力設定端子が設定され、
前記マスタドライバ及び前記スレーブドライバの各ドライバは、前記入力端子に入力された前記駆動データのドライバアドレスが前記アドレス設定端子により設定されたドライバアドレスと一致した場合に、該駆動データに基づいて前記駆動回路より前記発光体を駆動させるための駆動信号を出力し、
前記マスタドライバ及び前記スレーブドライバの各ドライバ間は、
前記駆動データを伝送するためのデータポジティブ及びデータネガティブのペアラインと、
前記データポジティブ及び前記データネガティブのペアラインにより伝送される駆動データの同期用クロックを伝送するためのクロックポジティブ及びクロックネガティブのペアラインとによって接続されている
構成を有している。
【０００８】
この構成により、本発明に係る遊技機は、一般的なシリアル信号よりノイズに強い差動信号で駆動データを各ドライバ間で転送することによって、各ドライバ間で駆動データを伝送する回線にノイズが混入することを防止するため、駆動データが表す発光パターンと異なる発光パターンで発光体が発光することを防止することができる。
【０００９】
また、本発明に係る遊技機は、シングルエンド方式よりも、ノイズに強いデータポジティブ及びデータネガティブのペアラインで駆動データを各ドライバ間で転送し、ノイズに強いクロックポジティブ及びクロックネガティブのペアラインで駆動データの同期用クロックを各ドライバ間で転送するため、各ドライバ間で駆動データ及びクロックを伝送する各回線にノイズが混入することを防止するため、駆動データが表す発光パターンと異なる発光パターンで発光体が発光することを防止することができる。
【発明の効果】
【００１０】
本発明によれば、駆動データが表す発光パターンと異なる発光パターンで発光体が発光することを防止することができる遊技機を提供することができる。
【図面の簡単な説明】
【００１１】
【図１】本発明の実施の形態に係る遊技機の正面斜視図である。
【図２】本発明の実施の形態に係る遊技機の裏面斜視図である。
【図３】本発明の実施の形態に係る遊技機の正面図である。
【図４】本発明の実施の形態に係る上ドア機構及び下ドア機構を開いた状態のときの、遊技機の正面図である。
【図５】本発明の実施の形態に係る遊技機の分解斜視図である。
【図６】本発明の実施の形態に係る遊技機の表示ユニットを左右方向に直交する方向で切断した縦断面図である。
【図７】本発明の実施の形態に係る遊技機のプロジェクタから投射された光の照射範囲とメインスクリーンとの関係を示す図である。
【図８】本発明の実施の形態に係る遊技機の電気的構成を示すブロック図である。
【図９】本発明の実施の形態に係る遊技機に設けられたＬＥＤを制御するためのＬＥＤ信号ラインを説明するためのブロック図である。
【図１０】本発明の実施の形態に係る遊技機における副中継基板の構成を示すブロック図である。
【図１１】本発明の実施の形態に係る遊技機における副中継基板に設けられたドライバのモードを説明するためのタイミングチャートである。
【図１２】本発明の実施の形態に係る遊技機における副中継基板の構成の他の接続態様を示すブロック図である。
【図１３】本発明の実施の形態に係る遊技機における下部周辺接続基板及びその周辺基板の構成を示すブロック図である。
【図１４】本発明の実施の形態に係る遊技機における下部左ＬＥＤ基板の構成を示すブロック図である。
【図１５】本発明の実施の形態に係る遊技機における下部右ＬＥＤ基板の構成を示すブロック図である。
【図１６】本発明の実施の形態に係る遊技機における上部中継基板、サイド右ＬＥＤ基板及びトップ中央ＬＥＤ基板の構成を示すブロック図である。
【図１７】本発明の実施の形態に係る遊技機におけるサイド左ＬＥＤ基板の構成を示すブロック図である。
【図１８】本発明の実施の形態に係る遊技機におけるトップサイド左ＬＥＤ基板の構成を示すブロック図である。
【図１９】本発明の実施の形態に係る遊技機におけるトップサイド右ＬＥＤ基板の構成を示すブロック図である。
【図２０】本発明の実施の形態に係る遊技機におけるサブＣＰＵから各ドライバに向けて出力されるデータの第１の例を示す概念図である。
【図２１】本発明の実施の形態に係る遊技機におけるサブＣＰＵから各ドライバに向けて出力されるデータの第２の例を示す概念図である。
【図２２】本発明の実施の形態に係る遊技機におけるサブＣＰＵから各ドライバに向けて出力されるデータの第３の例を示す概念図である。
【図２３】本発明の実施の形態に係る遊技機におけるサブＣＰＵから各ドライバに向けて出力されるデータの第４の例を示す概念図である。
【発明を実施するための形態】
【００１２】
以下、図面を参照して、本発明の実施形態について説明する。
【００１３】
まず、構成を説明する。図１〜５に示すように、遊技機１は、いわゆるパチスロ機である。遊技機１は、コイン、メダル、遊技球又はトークン等の他、遊技者に付与された又は付与される、遊技価値の情報を記憶したカード等の遊技媒体を用いて遊技可能なものであるが、以下ではメダルを用いるものとして説明する。
【００１４】
なお、以後の説明において、遊技機１から遊技者に向かう側（方向）を遊技機１の前側（前方向）と称し、前側とは逆側を後側（後方向、奥行方向）と称し、遊技者から見て右側及び左側を遊技機１の右側（右方向）及び左側（左方向）とそれぞれ称する。また、前側及び後側を含む方向は、前後方向又は厚み方向と称し、右側及び左側を含む方向は、左右方向又は幅方向と称する。前後方向（厚み方向）及び左右方向（幅方向）に直交する方向を上下方向又は高さ方向と称する。
【００１５】
図１及び図２に示すように、遊技機１の外観は、矩形箱状の筐体２により構成されている。筐体２は、遊技機本体として前面側に矩形状の開口を有する金属製のキャビネットＧと、キャビネットＧの前面上部に配置された上ドア機構ＵＤと、キャビネットＧの前面下部に配置された下ドア機構ＤＤとを有している。
【００１６】
また、キャビネットＧの上面壁Ｇ４には、左右方向に関して所定間隔隔てて、上下方向に貫通する２つの開口Ｇ４１が形成されている。そして、この２つの開口Ｇ４１それぞれを塞ぐように木製の板部材Ｇ４２が上面壁Ｇ４に取付けられている。
【００１７】
図３及び図４に示すように、上ドア機構ＵＤ及び下ドア機構ＤＤは、キャビネットＧの開口の形状及び大きさに対応するように形成されている。上ドア機構ＵＤ及び下ドア機構ＤＤは、キャビネットＧにおける開口の上部及び下部を閉塞可能に設けられている。上ドア機構ＵＤは、上側表示窓ＵＤ１を中央部に有している。上側表示窓ＵＤ１には、光を透過する透明パネルＵＤ１１が設けられている。また、上ドア機構ＵＤの上部には、上左スピーカＵＤ２５Ｌ，上右スピーカＵＤ２５Ｒが設けられている。
【００１８】
下ドア機構ＤＤには、上部の略中央部に、矩形状の開口部として形成されたメイン表示窓ＤＤ４が設けられている。メイン表示窓ＤＤ４の裏面側には、キャビネットＧの内部側から取付けられたリールユニットＲＵが装着されている。さらに、リールユニットＲＵの背面には、主制御基板７１が取付けられている。
【００１９】
リールユニットＲＵは、複数種類の図柄が各々の外周面に描かれた３個のリールＲＬ（左リール），ＲＣ（中リール），ＲＲ（右リール）を主体に構成されている。これらのリールＲＬ，ＲＣ，ＲＲは、それぞれが縦方向に一定の速度で回転できるように並列状態（横一列）に配設される。リールＲＬ，ＲＣ，ＲＲは、メイン表示窓ＤＤ４を通じて、各リールＲＬ，ＲＣ，ＲＲの動作や各リールＲＬ，ＲＣ，ＲＲ上に描かれている図柄が視認可能となる。
【００２０】
メイン表示窓ＤＤ４には、その表面部に、矩形状のアクリル板等からなる透明パネルが取付け固定されており、遊技者等がリールユニットＲＵに触れることができないようになっている。メイン表示窓ＤＤ４の下方には、略水平面の第１，第２，第３台座部ＤＤ２ａ，ＤＤ２ｂ，ＤＤ２ｃが形成されている。メイン表示窓ＤＤ４の右側に位置する第１台座部ＤＤ２ａには、メダルを投入するためのメダル投入口ＤＤ５が設けられている。メダル投入口ＤＤ５は、遊技者によりメダルが投入される開口である。メダル投入口ＤＤ５から投入されたメダルは、クレジットされるか又はゲームに賭けられる。
【００２１】
メイン表示窓ＤＤ４の左側に位置する第２台座部ＤＤ２ｂには、クレジットされているメダルを賭けるための、有効ライン設定手段としての最大ＢＥＴボタンＤＤ８（ＭＡＸＢＥＴボタンともいう）が設けられている。最大ＢＥＴボタンＤＤ８が押されると、メダルの投入枚数として「３」が選択される。
【００２２】
最大ＢＥＴボタンＤＤ８の前面側には、遊技者の操作によりリールＲＬ，ＲＣ，ＲＲを回転駆動させるとともに、メイン表示窓ＤＤ４内で図柄の変動表示を開始させるスタートレバーＤＤ６が設けられている。スタートレバーＤＤ６は、所定の角度範囲で傾動自在に取付けられる。
【００２３】
スタートレバーＤＤ６の右側で、第３台座部ＤＤ２ｃの前面側には、遊技者の押下操作（停止操作）により３個のリールＲＬ，ＲＣ，ＲＲの回転をそれぞれ停止させるための３個のストップボタンＤＤ７Ｌ，ＤＤ７Ｃ，ＤＤ７Ｒが設けられている。
【００２４】
最大ＢＥＴボタンＤＤ８の近傍には、図示しないＣ／Ｐボタンが設けられている。Ｃ／Ｐボタンは、遊技者がゲームで獲得したメダルのクレジット／払出しを押しボタン操作で切り換えるものである。このＣ／Ｐボタンの切り換えにより払出しが選択されている状態（非クレジット状態）においては、下ドア機構ＤＤの下部側のコインガードプレート部に設けたメダル払出口ＤＤ１４（キャンセルシュート）からメダルが払出され、払出されたメダルは、メダル受け部ＤＤ１５に溜められる。
【００２５】
スタートレバーＤＤ６、及び、ストップボタンＤＤ７Ｌ，ＤＤ７Ｃ，ＤＤ７Ｒの下部側には、腰部パネルＤＤ１８（腰部導光板）が配置されている。腰部パネルＤＤ１８は、アクリル板等を使用した化粧用パネルとして構成される。腰部パネルＤＤ１８には、遊技機１の機種を表す名称や種々の模様等が表示される。
【００２６】
また、メダル払出口ＤＤ１４の右側には下右スピーカＤＤ２５Ｒが設けられている。一方、メダル払出口ＤＤ１４の左側には下左ウーファＤＤ２５Ｌが設けられている。また、下左ウーファＤＤ２５Ｌの右側には後述するエンクロージャユニット２０のバスレフポートの出口に連通する開口が設けられている。
【００２７】
エンクロージャユニット２０（図４参照）は、下ドア機構ＤＤの背面側に取り付けられたエンクロージャ（筐体）２１と、エンクロージャ２１内に収容された下左ウーファＤＤ２５Ｌとからなる。下右スピーカＤＤ２５Ｒ，下左ウーファＤＤ２５Ｌは、遊技者に遊技に関する種々の情報を声や音楽等の音により報知する。
【００２８】
また、メイン表示窓ＤＤ４の左側には、サブ表示装置ＤＤ１９が配置されている。このサブ表示装置ＤＤ１９は、例えば入賞成立時のメダルの払出枚数やクレジットされている残メダル枚数を表示する。通常は、遊技機１にクレジットされるメダルの最大枚数は５０枚であるため、５０以下のクレジット枚数が表示される。なお、最大枚数の５０枚のメダルがクレジットされている状態では、投入されたメダルはそのままメダル払出口ＤＤ１４より払出される。また、サブ表示装置ＤＤ１９は、タッチパネルを前面に備えていてもよい。
【００２９】
サブ表示装置ＤＤ１９の上方には、操作部１５０が配置されている。操作部１５０は、ＬＥＦＴボタン、ＲＩＧＨＴボタン、ＵＰボタン、ＤＯＷＮボタン及びＥＮＴＥＲボタンからなり、遊技者からの各種操作を受け付ける。また、メイン表示窓ＤＤ４の右側には、右チャンスボタン１５７が配置され、メイン表示窓ＤＤ４の下側には、中チャンスボタン１５８が配置されている。右チャンスボタン１５７及び中チャンスボタン１５８は、遊技に係る演出に伴い遊技者により操作されるものである。
【００３０】
図４に示すように、キャビネットＧ内は、中間支持板Ｇ１を挟んで上側に、前方に開口する上側開口部Ｇ１０１が形成されており、中間支持板Ｇ１を挟んで下側に、前方に開口する下側開口部Ｇ１０２が形成されている。キャビネットＧ内は、中間支持板Ｇ１を挟んで上部空間と下部空間とに仕切られており、すなわち、中間支持板Ｇ１は、キャビネットＧ内を上部空間と下部空間とに仕切る仕切板として機能している。上部空間は、キャビネットＧ内の上ドア機構ＵＤの後側となる空間であり、表示ユニットＡ等が収容される。また、下部空間は、キャビネットＧ内の下ドア機構ＤＤの後側となる空間であり、リールユニットＲＵや、遊技機１全体の動作を司る主制御基板７１、副制御基板７２（図８参照）等が収容される。主制御基板７１は、内部当籤役の決定、リールＲＬ，ＲＣ，ＲＲの回転及び停止、入賞の有無の判定といった、遊技機１における遊技の主な流れを制御する回路（主制御回路）を構成する。副制御基板７２は、画像の表示等による演出の実行を制御する回路（副制御回路）を構成する。
【００３１】
また、上ドア機構ＵＤは、上側開口部Ｇ１０１を閉鎖又は開放可能であり、本発明の開閉部材を構成する。下側開口部Ｇ１０２は、下ドア機構ＤＤによって閉鎖又は開放可能である。
【００３２】
（表示ユニットＡ）
図５に示すように、表示ユニットＡは、キャビネットＧ内の中間支持板Ｇ１上に交換可能に載置される。表示ユニットＡは、画像を表示用の照射光を出射する照射ユニットＢと、照射ユニットＢからの照射光が照射されることにより画像を出現させるスクリーン装置Ｃとを有したいわゆるプロジェクションマッピング装置である。
【００３３】
ここで、プロジェクションマッピング装置は、構造物や自然物等の立体物の表面に画像を投影するためのものであって、例えば、後述のスクリーンである役物に対して、その位置（投影距離や角度等）や形状に基づいて生成される、演出情報に応じた画像を投影することにより、高度で、かつ迫力のある演出を可能とする。
【００３４】
図５に示すように、表示ユニットＡは、前方に開口が形成された筐体Ａ１を有する。この筐体Ａ１は、照射ユニットＢの上部を形成するプロジェクタカバーＢ１、及び、ミラー機構Ｂ３を備えたプロジェクタ筐体Ｃ１０とで構成されている。プロジェクタ筐体Ｃ１０は、底板Ｃ１、右側板Ｃ２、左側板Ｃ３、及び背板Ｃ４を有した箱方形状をなしている。プロジェクタカバーＢ１は、プロジェクタ筐体Ｃ１０の上面に交換可能に取付けられる。
【００３５】
（表示ユニットＡ：照射ユニットＢ）
図６に示すように、照射ユニットＢは、照射光を下方に向かって出射するプロジェクタ装置Ｂ２を有する。プロジェクタ装置Ｂ２からは静止画と動画とを含む画像や映像を含んだ光が投射されるので、説明の便宜上、プロジェクタ装置Ｂ２から投射される像を「画像」に統一して説明を行う。
【００３６】
（表示ユニットＡ：照射ユニットＢ：プロジェクタ装置Ｂ２）
図６に示すように、プロジェクタ装置Ｂ２は、プロジェクタカバーＢ１に取付けられ、キャビネットＧ内の後部に配置されている（図４参照）。プロジェクタカバーＢ１は、プロジェクタ筐体Ｃ１０の右側板Ｃ２及び左側板Ｃ３に取付けられており、上側カバー１７１及び下側カバー１７２を有する。
【００３７】
プロジェクタカバーＢ１の内部には図示しないレンズユニットや光学機構が設けられている。
【００３８】
レンズユニットは、光学機構の複数のＬＥＤ光源から出射してＤＭＤ（Ｄｉｇｉｔａｌ Ｍｉｃｒｏｍｉｒｒｏｒ Ｄｅｖｉｃｅ）で反射した照射光を、レンズ等を介して下方のミラー機構Ｂ３に向けて出射するように配置されている。
【００３９】
プロジェクタ装置Ｂ２の下方（照射光の出射方向）には、ミラー機構Ｂ３が配置されている。ミラー機構Ｂ３は、ミラーホルダ１７３と、ミラーホルダ１７３に支持される光学ミラー１７４と、ミラーホルダ１７３及び光学ミラー１７４を支持するミラーホルダブラケット１７５とから構成されている。ミラーホルダブラケット１７５は、プロジェクタ筐体Ｃ１０の底板Ｃ１に固定されている。プロジェクタ装置Ｂ２から下方に照射された光は、光学ミラー１７４によって前方に反射される。
【００４０】
（上ドア機構ＵＤ及びスクリーン装置Ｃ）
図６に示すように、上ドア機構ＵＤは、フロントパネル１８０とバックパネル１８１とを有する。フロントパネル１８０の前面にはスクリーン装置Ｃが取付けられている。スクリーン装置Ｃは、遊技者に対向しており、スクリーン装置Ｃの後方に光学ミラー１７４及びプロジェクタ装置Ｂ２が設置されている。
【００４１】
スクリーン装置Ｃは、メインスクリーン１８２と、メインスクリーン１８２の背面に密着して取付けられた投影用シート１８３とを備えている。メインスクリーン１８２は、透光性を有するアクリル板等の樹脂又はガラス板等を主たる素材とし、全面に亘って均等な厚みを有するように形成されている。
【００４２】
投影用シート１８３は、後方から画像が投影されることで表示される透過式のスクリーンであり、プロジェクタ装置Ｂ２から投射された光が入射する背面側の入射面と、入射面に入射した光が透過することで画像が投影される前面側の表示面と、を有する。
【００４３】
投影用シート１８３は、例えば、透光性を有するガラス板、アクリル板、樹脂製フィルムを主たる素材として、全面に亘って均等な厚みを有するように形成され、非投影時に乳白色、半透明、あるいはグレー色を呈する。
【００４４】
投影用シート１８３の入射面（背面側の表面）に対して、プロジェクタ装置Ｂ２から投射された光が入射することによって、投影用シート１８３の表示面（前面側の表面）に、遊技に関する画像（静止画像や動画像を含む画像）が表示される。
【００４５】
メインスクリーン１８２は、透明に形成されており、メインスクリーン１８２の前方には遊技者の視界を遮る構造が存在しないため、投影用シート１８３に画像が表示された場合、当該画像は、遊技者から視認可能となる。
【００４６】
図７は、プロジェクタ装置Ｂ２から投射された光の照射範囲と上ドア機構ＵＤ側のスクリーン装置Ｃとの関係を示す図である。図７では、上ドア機構ＵＤ側のスクリーン装置Ｃの表示面を網掛けで示している。プロジェクタ装置Ｂ２から投射された光の照射範囲は、スクリーン装置Ｃよりも広くなっている。
【００４７】
具体的には、プロジェクタ装置Ｂ２から投射された光は、スクリーン装置Ｃの全面（網掛けで示す領域）に入射するとともに、上ドア機構ＵＤ側のスクリーン装置Ｃの周縁領域を通過する。図７では、プロジェクタ装置Ｂ２から投射された光の照射範囲のうち、スクリーン装置Ｃの周縁領域を斜線で示している。
【００４８】
［遊技機１の電気的構成］
以下、遊技機１の電気的構成について、図８〜図１８を参照して説明する。
【００４９】
図８に示すように、遊技機１は、リールユニットＲＵに配設された主制御基板７１と、キャビネットＧに配設された副制御基板７２とを有している。主制御基板７１は、遊技機１の遊技動作を制御する。副制御基板７２は、演出を制御する。
【００５０】
主制御基板７１には、回胴中継基板５３と、ドア中継基板５４と、副中継基板６９とがハーネスなどによって接続されている。回胴中継基板５３には、第１回胴ユニット５１Ｌと、第２回胴ユニット５１Ｃと、第３回胴ユニット５１Ｒと、外部端子板５６と、ホッパ装置ＨＰと、補助収納庫５７とがハーネスなどによって接続されている。
【００５１】
回胴中継基板５３は、主制御基板７１と、第１回胴ユニット５１Ｌ、第２回胴ユニット５１Ｃ、第３回胴ユニット５１Ｒ、外部端子板５６、ホッパ装置ＨＰ及び補助収納庫５７との間で入出力される信号を中継する。
【００５２】
このように、第１回胴ユニット５１Ｌ、第２回胴ユニット５１Ｃ、第３回胴ユニット５１Ｒ、外部端子板５６、ホッパ装置ＨＰ及び補助収納庫５７は、回胴中継基板５３を介して主制御基板７１に接続されている。
【００５３】
第１回胴ユニット５１Ｌと、第２回胴ユニット５１Ｃと、第３回胴ユニット５１Ｒとは、リールＲＬ、ＲＣ、ＲＲのリール本体の内側にそれぞれ配設されている。第１回胴ユニット５１Ｌと、第２回胴ユニット５１Ｃと、第３回胴ユニット５１Ｒとは、２相励磁方式のステッピングモータをそれぞれ有する。
【００５４】
各ステッピングモータは、所定の開始条件の成立、すなわちスタートレバーＤＤ６が操作されたこと（開始操作）に基づく主制御基板７１の制御により各リールＲＬ、ＲＣ、ＲＲを回転させることにより図柄を変動させる。
【００５５】
外部端子板５６は、キャビネットＧに取付けられており、メダル投入信号、メダル払出信号、外部信号１〜４及びセキュリティ信号等の信号を遊技機１の外部へ出力するために設けられている。
【００５６】
ホッパ装置ＨＰには、メダルが収容される。ホッパ装置ＨＰは、主制御基板７１の制御によりメダルを払出する。ホッパ装置ＨＰは、払出したメダルの数を表す情報を主制御基板７１に出力する。
【００５７】
補助収納庫５７には、ホッパ装置ＨＰから溢れたメダルが収容される。補助収納庫５７には、補助収納庫５７内に貫通する図示しない補助庫スイッチが設けられている。この補助庫スイッチは、補助収納庫５７がメダルで満杯になっているか否かを検出し、検出結果を主制御基板７１に出力する。
【００５８】
ドア中継基板５４には、メダル投入口ＤＤ５に繋がって下ドア機構ＤＤの裏側に配置されたメダルセレクタ４６、ドア開閉スイッチ６１、投入／精算スイッチ６２、スタートスイッチ６４、ストップスイッチ基板６５、遊技状態表示基板６６及びエラー解除スイッチ６７がハーネスなどによって接続されている。
【００５９】
このように、メダルセレクタ４６、ドア開閉スイッチ６１、投入／精算スイッチ６２、スタートスイッチ６４、ストップスイッチ基板６５、遊技状態表示基板６６及びエラー解除スイッチ６７は、ドア中継基板５４を介して主制御基板７１に接続されている。
【００６０】
メダルセレクタ４６は、メダルが内部を通過したことを検出して、その検出結果を主制御基板７１に出力する。また、メダルセレクタ４６は、主制御基板７１の制御により、メダル投入口ＤＤ５に投入されたメダルをメダル払出口ＤＤ１４に排出する。ドア開閉スイッチ６１は、上ドア機構ＵＤ及び下ドア機構ＤＤの開閉を報知するためのセキュリティ信号を遊技機１の外部へ出力する。
【００６１】
投入／精算スイッチ６２は、ＭＡＸベットボタンＤＤ８及び１ベットボタンが押されたことを検出して、その検出結果を主制御基板７１に出力する投入スイッチと、精算ボタンが押されたことを検出して、その検出結果を主制御基板７１に出力する精算スイッチとを有する。スタートスイッチ６４は、スタートレバーＤＤ６が操作されたこと（開始操作）を検出して、その検出結果を主制御基板７１に出力する。
【００６２】
ストップスイッチ基板６５には、３つのリールＲＬ、ＲＣ、ＲＲに対応するストップスイッチ（不図示）が設けられている。ストップスイッチは、リールＲＬ、ＲＣ、ＲＲの回転を停止させるための停止操作、すなわち各ストップボタンＤＤ７Ｌ、ＤＤ７Ｃ、ＤＤ７Ｒが押されたことを検出して、その検出結果を主制御基板７１に出力する。
【００６３】
遊技状態表示基板６６は、ベットされたメダルの枚数、入賞成立時のメダルの払出枚数、クレジットされている残メダル枚数、再遊技の作動状態、遊技待ち状態など遊技に関する情報をＬＥＤ（不図示）などに表示する。
【００６４】
エラー解除スイッチ６７は、エラー報知の解除、遊技機１の設定の変更、及び、遊技機１の設定の確認などを行うためのエラー解除ボタン（不図示）の操作を検出して、その検出結果を主制御基板７１に出力する。
【００６５】
副制御基板７２には、副中継基板６９がＢｔｏＢ（Board to Board）で接続されている。副制御基板７２は、副中継基板６９を介して、主制御基板７１から副制御基板７２に向けた一方向の調歩同期（「非同期」ともいう）方式のシリアル通信で接続されている。
【００６６】
主制御基板７１と副中継基板６９との間には、一方向（１本）の光ファイバが介在している。この光ファイバによって、主制御基板７１から副中継基板６９に向けて一方向に信号が伝送される。
【００６７】
副中継基板６９は、副制御基板７２と主制御基板７１とを接続する配線を中継する。また、副中継基板６９は、副制御基板７２と副制御基板７２の周辺に配設された複数の基板及び入出力装置とを接続する配線を中継する。
【００６８】
具体的には、副中継基板６９には、上部中継基板８１と、下部周辺接続基板８２と、下右スピーカＤＤ２５Ｒと、下左ウーファＤＤ２５Ｌとがハーネスなどによって接続されている。また、サブ表示装置ＤＤ１９がタッチパネルを前面に備えている場合には、副中継基板６９には、タッチパネルがハーネスなどによって接続される。
【００６９】
このように、上部中継基板８１と、下部周辺接続基板８２と、パネル中継基板８３と、下右スピーカＤＤ２５Ｒと、下左ウーファＤＤ２５Ｌと、サブ表示ユニット８４とは、副中継基板６９を介して副制御基板７２に接続されている。
【００７０】
上部中継基板８１は、上ドア機構ＵＤに配設されている。上部中継基板８１には、トップ中央ＬＥＤ基板９０と、上左スピーカＵＤ２５Ｌと、上右スピーカＵＤ２５Ｒと、サイド右ＬＥＤ基板９１と、サイド左ＬＥＤ基板９２とがハーネスなどによって接続されている。
【００７１】
このように、トップ中央ＬＥＤ基板９０と、上左スピーカＵＤ２５Ｌと、上右スピーカＵＤ２５Ｒと、サイド右ＬＥＤ基板９１と、サイド左ＬＥＤ基板９２とは、上部中継基板８１及び副中継基板６９を介して副制御基板７２に接続されている。サイド右ＬＥＤ基板９１及びサイド左ＬＥＤ基板９２は、上ドア機構ＵＤの右端及び左端にそれぞれ配設されている。
【００７２】
トップ中央ＬＥＤ基板９０には、トップサイド右ＬＥＤ基板９３と、トップサイド左ＬＥＤ基板９４とがハーネスなどによって接続されている。
【００７３】
このように、トップサイド右ＬＥＤ基板９３と、トップサイド左ＬＥＤ基板９４とは、トップ中央ＬＥＤ基板９０、上部中継基板８１及び副中継基板６９を介して副制御基板７２に接続されている。トップサイド右ＬＥＤ基板９３と、トップサイド左ＬＥＤ基板９４とは、上ドア機構ＵＤの上左スピーカＵＤ２５Ｌ及び上右スピーカＵＤ２５Ｒの近傍にそれぞれ配設されている。
【００７４】
下部周辺接続基板８２は、下ドア機構ＤＤに配設されている。下部周辺接続基板８２には、下部左ＬＥＤ基板１０１と、下部右ＬＥＤ基板１０２と、中部右ＬＥＤ基板１０３と、ナビＬＥＤ基板１０４と、回胴照明基板１０５と、停止ボタンＬＥＤ基板１０６と、投入／精算ユニット１０７と、右チャンスボタンユニット１０８と、中チャンスボタンユニット１０９と、第１回胴バックライト１１０と、第２回胴バックライト１１１と、第３回胴バックライト１１２とがハーネスなどによって接続されている。
【００７５】
このように、下部左ＬＥＤ基板１０１と、下部右ＬＥＤ基板１０２と、中部右ＬＥＤ基板１０３と、ナビＬＥＤ基板１０４と、回胴照明基板１０５と、停止ボタンＬＥＤ基板１０６と、投入／精算ユニット１０７と、右チャンスボタンユニット１０８と、中チャンスボタンユニット１０９と、第１回胴バックライト１１０と、第２回胴バックライト１１１と、第３回胴バックライト１１２とは、下部周辺接続基板８２及び副中継基板６９を介して副制御基板７２に接続されている。
【００７６】
下部左ＬＥＤ基板１０１は、下ドア機構ＤＤの左端に設けられている。下部右ＬＥＤ基板１０２は、下ドア機構ＤＤの右端に設けられている。中部右ＬＥＤ基板１０３は、下ドア機構ＤＤにおいて下ドア機構ＤＤよりも上方に設けられている。
【００７７】
ナビＬＥＤ基板１０４は、各リールＲＬ，ＲＣ，ＲＲに対応する複数のＬＥＤを有し、メイン表示窓ＤＤ４の近傍に設けられている。例えば、副制御基板７２は、ナビＬＥＤ基板１０４の各ＬＥＤを発光させることで、ストップボタンＤＤ７Ｌ，ＤＤ７Ｃ，ＤＤ７Ｒの操作順序を報知する。
【００７８】
回胴照明基板１０５は、副制御基板７２の制御によりリールＲＬ，ＲＣ，ＲＲに外側から光を照射するように、リールユニットＲＵ内に設けられている。停止ボタンＬＥＤ基板１０６は、副制御基板７２の制御により各ストップボタンＤＤ７Ｌ，ＤＤ７Ｃ，ＤＤ７Ｒに裏面から光を照射するＬＥＤを有する。
【００７９】
投入／精算ユニット１０７は、ＭＡＸベットボタンＤＤ８及び１ベットボタン、精算ボタン、投入／精算スイッチ６２を含んで構成され、副制御基板７２の制御によりＭＡＸベットボタンＤＤ８に裏面から光を照射するＬＥＤを有する。
【００８０】
右チャンスボタンユニット１０８は、右チャンスボタン１５７を含んで構成され、副制御基板７２の制御により右チャンスボタン１５７に裏面から光を照射するＬＥＤを有する。
【００８１】
中チャンスボタンユニット１０９は、中チャンスボタン１５８を含んで構成され、副制御基板７２の制御により中チャンスボタン１５８に裏面から光を照射するＬＥＤを有する。
【００８２】
第１回胴バックライト１１０と、第２回胴バックライト１１１と、第３回胴バックライト１１２とは、副制御基板７２の制御により、リールＲＬ，ＲＣ，ＲＲにそれぞれ内側から光を照射するように、リールユニットＲＵ内に設けられている。
【００８３】
副制御基板７２には、副中継基板６９に加えて、サブＲＯＭ基板７６と、グラフィック基板７３とが接続されている。サブＲＯＭ基板７６は、副制御基板７２で実行される制御プログラムと、演出用の画像（画像）、音声、光（ＬＥＤ群７５）及び通信のデータを格納する。
【００８４】
画像中継基板７７は、メイン表示装置としてのプロジェクタ装置Ｂ２及びサブ表示装置ＤＤ１９に副制御基板７２からそれぞれ送信される画像信号を各表示装置の信号規格に合わせて変換して中継する。
【００８５】
画像中継基板７７からプロジェクタ装置Ｂ２には、ＬＶＤＳ（Low voltage differential signaling）に準拠した差動伝送によって画像信号が送信される。さらに、画像中継基板７７とプロジェクタ装置Ｂ２との間には、一方向（１本）の光ファイバが介在している。
【００８６】
すなわち、画像中継基板７７は、画像を表す差動信号を光信号に変換してプロジェクタ装置Ｂ２に送信し、プロジェクタ装置Ｂ２は、受信した光信号を差動信号に変換して、変換した差動信号が表す画像を投影する。
【００８７】
なお、本実施の形態においては、メイン表示装置としてプロジェクタ装置Ｂ２を適用した例について説明するが、メイン表示装置として液晶表示装置又は有機ＥＬ表示装置などの他の表示装置を適用してもよい。
【００８８】
メイン表示装置として液晶表示装置又は有機ＥＬ表示装置などの他の表示装置を適用した場合には、画像中継基板７７は、メイン表示装置の規格に応じた方式で画像信号を送信するように構成される。また、画像中継基板７７とメイン表示装置との間には、必ずしも光ファイバを介在させる必要はない。
【００８９】
副中継基板６９と副制御基板７２、副制御基板７２とサブＲＯＭ基板７６、副制御基板７２とグラフィック基板７３、及び、グラフィック基板７３と画像中継基板７７は、それぞれ基板対基板用コネクタによって接続されている。副制御基板７２は、制御プログラムと、演出用の画像、音声、光及び通信のデータとを、シリアルＡＴＡ（Advanced Technology Attachment）に準拠してサブＲＯＭ基板７６から取得する。
【００９０】
遊技機１は、電源ユニット４４を有する。電源ユニット４４は、電源スイッチ（不図示）がＯＮされると供給される商用電源（ＡＣ１００Ｖ）から１２Ｖの直流電圧と、２４Ｖの直流電圧とを生成する安定化電源回路により構成されている。
【００９１】
１２Ｖの直流電圧は、回胴中継基板５３と、副中継基板６９とに供給される。２４Ｖの直流電圧は、下左ウーファＤＤ２５Ｌを駆動するアンプ（不図示）に供給される。他の基板には、副中継基板６９に供給された１２Ｖの直流電圧が供給される。このため、図８において、他の基板の電源供給ラインについては、図示が省略されている。
【００９２】
［ＬＥＤ信号ライン］
以下、遊技機１に設けられたＬＥＤを制御するためのＬＥＤ信号ラインについて説明する。
【００９３】
図９に示すように、副制御基板７２は、制御部としてのサブＣＰＵ１２０を有する。副中継基板６９は、ドライバアドレスとして３ＦＨが設定されたドライバＩＣ１２１を有する。上部中継基板８１は、ドライバアドレスとして１０Ｈが設定されたドライバＩＣ１２２を有する。
【００９４】
トップ中央ＬＥＤ基板９０は、ドライバアドレスとして１１Ｈが設定されたドライバＩＣ１２３を有する。トップサイド左ＬＥＤ基板９４は、ドライバアドレスとして１２Ｈが設定されたドライバＩＣ１２４を有する。
【００９５】
トップサイド右ＬＥＤ基板９３は、ドライバアドレスとして１３Ｈが設定されたドライバＩＣ１２５を有する。サイド左ＬＥＤ基板９２は、ドライバアドレスとして１４Ｈが設定されたドライバＩＣ１２６を有する。
【００９６】
下部周辺接続基板８２は、ドライバアドレスとして０１Ｈが設定されたドライバＩＣ１２７と、ドライバアドレスとして０２Ｈが設定されたドライバＩＣ１２８と、ドライバアドレスとして０３Ｈが設定されたドライバＩＣ１２９とを有する。
【００９７】
下部左ＬＥＤ基板１０１は、ドライバアドレスとして０４Ｈが設定されたドライバＩＣ１３０を有する。下部右ＬＥＤ基板１０２は、ドライバアドレスとして０５Ｈが設定されたドライバＩＣ１３１を有する。
【００９８】
サブＣＰＵ１２０は、各部ＬＥＤを駆動するための駆動データを３線式シリアルでドライバＩＣ１２１に出力する。本実施の形態において、サブＣＰＵ１２０は、サブＣＰＵ１２０をマスターとしたＳＰＩ（Serial Peripheral Interface）で駆動データをドライバＩＣ１２１に出力する。
【００９９】
すなわち、サブＣＰＵ１２０とドライバＩＣ１２１とは、駆動データを伝送するためのデータラインと、駆動データの同期用クロックを伝送するためのクロックラインと、データを送信するドライバを選択するためのチップセレクトラインとによって接続されている。
【０１００】
ドライバＩＣ１２１は、ドライバＩＣ１２２とドライバＩＣ１２７とに駆動データを差動信号で中継する。本実施の形態において、ドライバＩＣ１２２は、差動信号の１種である２線式シリアルＬＶＤＳ（Low Voltage Differential Signaling）で駆動データを中継する。
【０１０１】
なお、ドライバＩＣ１２２は、差動信号であれば、２線式シリアルＬＶＤＳ以外に、Ｖ-ｂｙ-Ｏｎｅ、ＤｉｓｐｌａｙＰｏｒｔ等を使用して駆動データを中継するようにしてもよい。
【０１０２】
すなわち、ドライバＩＣ１２１と、ドライバＩＣ１２２及びドライバＩＣ１２７とは、駆動データを伝送するためのデータポジティブ及びデータネガティブのペアラインと、駆動データの同期用クロックを伝送するためのクロックポジティブ及びクロックネガティブのペアラインとによって接続されている。
【０１０３】
ドライバＩＣ１２２は、ドライバＩＣ１２３とドライバＩＣ１２６とに駆動データを２線式シリアルＬＶＤＳで中継する。また、ドライバＩＣ１２２は、出力端子ＯＵＴ００〜ＯＵＴ２３（不図示）から駆動データに基づく駆動信号をサイド右ＬＥＤ基板９１に出力する。
【０１０４】
ドライバＩＣ１２３は、ドライバＩＣ１２４とドライバＩＣ１２５とに駆動データを２線式シリアルＬＶＤＳで中継する。ドライバＩＣ１２７は、ドライバＩＣ１２８とドライバＩＣ１２９とに駆動データを２線式シリアルＬＶＤＳで中継する。また、ドライバＩＣ１２７は、出力端子ＯＵＴ００〜ＯＵＴ２３（不図示）から駆動データに基づく駆動信号を停止ボタンＬＥＤ基板１０６と投入／精算ユニット１０７とに出力する。
【０１０５】
ドライバＩＣ１２８は、ドライバＩＣ１３０に駆動データを２線式シリアルＬＶＤＳで中継する。また、ドライバＩＣ１２８は、出力端子ＯＵＴ００〜ＯＵＴ２３（不図示）から駆動データに基づく駆動信号をナビＬＥＤ基板１０４と、右チャンスボタンユニット１０８と、中チャンスボタンユニット１０９と、中部右ＬＥＤ基板１０３とに出力する。
【０１０６】
ドライバＩＣ１２９は、ドライバＩＣ１３１に駆動データを２線式シリアルＬＶＤＳで中継する。また、ドライバＩＣ１２９は、出力端子ＯＵＴ００〜ＯＵＴ２３（不図示）から駆動データに基づく駆動信号を第１回胴バックライト１１０と、第２回胴バックライト１１１と、第３回胴バックライト１１２と、回胴照明基板１０５とに出力する。
【０１０７】
＜副中継基板＞
図１０に示すように、副中継基板６９に設けられたドライバＩＣ１２１は、ドライバアドレスを設定可能なアドレス設定端子Ａ０〜Ａ５と、入力端子ＳＣＬ＿ＩＮｐ、ＳＣＬ＿ＩＮｎ、ＳＤＡ＿ＩＮｐ、ＳＤＡ＿ＩＮｎと、入力端子に駆動データを２線式シリアルＬＶＤＳで入力させるか、３線シリアル（本実施の形態においては、ＳＰＩ）で入力させるかを設定可能な入力設定端子ＭＯＤＥとを有する。
【０１０８】
ドライバＩＣ１２１は、駆動回路を構成し、ＬＥＤなどの発光体の駆動データに基づく駆動信号を出力する出力端子ＯＵＴ００〜ＯＵＴ２３を有する。ドライバＩＣ１２１の出力端子ＯＵＴ００〜ＯＵＴ２３は、拡張性を担保するためにオープンドレイン出力になっている。また、ドライバＩＣ１２１は、中継出力端子ＳＣＬ＿ＯＵＴｐ、ＳＣＬ＿ＯＵＴｎ、ＳＤＡ＿ＯＵＴｐ、ＳＤＡ＿ＯＵＴｎを有する。
【０１０９】
ドライバＩＣ１２１は、アドレス設定端子Ａ０〜Ａ５によってドライバアドレスとして３ＦＨが設定されている。ドライバアドレスとして３ＦＨが設定されたドライバＩＣ１２１は、マスタドライバとして機能する。したがって、以下、ドライバＩＣ１２１は、「マスタドライバ」ともいう。
【０１１０】
なお、ドライバＩＣ１２１〜ドライバＩＣ１３０のアドレス設定端子Ａ０〜Ａ５のそれぞれを電源ライン（ＶＣＣ）又は、グランドライン（ＧＮＤ）に接続することでドライバアドレスが設定される。例えば、後述のドライバＩＣ１２６の場合、ドライバアドレスが１４Ｈに設定されているが、この場合は、アドレス設定端子Ａ０＝グランドライン、アドレス設定端子Ａ１＝グランドライン、アドレス設定端子Ａ２＝電源ライン、アドレス設定端子Ａ３＝グランドライン、アドレス設定端子Ａ４＝電源ライン、アドレス設定端子Ａ５＝グランドラインに接続されていることになる。
【０１１１】
なお、ドライバアドレスとして０１Ｈ〜３ＥＨのいずれかが設定された場合には、ドライバＩＣ１２１は、スレーブドライバとして機能するように設計されている。したがって、以下、スレーブドライバとして機能するドライバ（本実施の形態においては、ドライバＩＣ１２２〜ドライバＩＣ１３１）は、「スレーブドライバ」ともいう。
【０１１２】
なお、本実施の形態では、ドライバアドレスを３ＦＨに設定された場合に、マスタドライバとしているが、例えば、ドライバアドレスを００Ｈに設定してマスタドライバとし、ドライバアドレスが０１Ｈ〜３ＦＨをスレーブドライバとしてもよい。また、マスタドライバをドライバアドレスが００Ｈ及び３ＦＨ以外の０１Ｈ〜３ＥＨのいずれかの設定にし、マスタドライバに設定したアドレス以外をスレーブドライバにしてもよい。
【０１１３】
サブＣＰＵ１２０からドライバＩＣ１２１には、３線式シリアルで駆動データが入力されるため、入力設定端子ＭＯＤＥは、電源ラインに接続されＨｉｇｈレベルに設定されている。なお、ドライバＩＣ１２１に、２線式シリアルＬＶＤＳで駆動データが入力される場合には、入力設定端子ＭＯＤＥは、グランドラインに接続されＬｏｗレベルに設定される。
【０１１４】
入力設定端子ＭＯＤＥがＨｉｇｈの場合、入力端子ＳＣＬ＿ＩＮｐは、ＳＰＩクロック（ＳＣＫ）入力端子となり、入力端子ＳＣＬ＿ＩＮｎは、ＳＰＩチップセレクト（ＣＳ）入力端子となり、入力端子ＳＤＡ＿ＩＮｐは、ＳＰＩデータ（ＳＩ）入力端子となり、入力端子ＳＤＡ＿ＩＮｎは、未使用端子となるためグランドラインに接続されＬｏｗレベルに固定されている。
【０１１５】
入力設定端子ＭＯＤＥがＬｏｗの場合、入力端子ＳＣＬ＿ＩＮｐは、クロックのポジティブ入力端子となり、入力端子ＳＣＬ＿ＩＮｎは、クロックのネガティブ入力端子となり、入力端子ＳＤＡ＿ＩＮｐは、データのポジティブ入力端子となり、入力端子ＳＤＡ＿ＩＮｎは、データのネガティブ入力端子となる。
【０１１６】
ドライバＩＣ１２１は、出力回路を構成し、３線式シリアル又は２線式シリアルＬＶＤＳで入力された駆動データを２線式シリアルＬＶＤＳで中継出力端子ＳＣＬ＿ＯＵＴｐ、ＳＣＬ＿ＯＵＴｎ、ＳＤＡ＿ＯＵＴｐ、ＳＤＡ＿ＯＵＴｎから出力する。
【０１１７】
詳細には、ドライバＩＣ１２１は、中継出力端子ＳＣＬ＿ＯＵＴｐから同期用のポジティブなクロック信号を出力し、中継出力端子ＳＣＬ＿ＯＵＴｐから同期用のネガティブなクロック信号を出力し、出力端子ＳＤＡ＿ＯＵＴｐからポジティブな駆動データを表す信号を出力し、出力端子ＳＤＡ＿ＯＵＴｎからネガティブな駆動データを表す信号を出力する。
【０１１８】
このように、ドライバＩＣ１２１は、３線式シリアルで入力された駆動データを２線式シリアルＬＶＤＳ形式に変換して中継出力端子ＳＣＬ＿ＯＵＴｐ、ＳＣＬ＿ＯＵＴｎ、ＳＤＡ＿ＯＵＴｐ、ＳＤＡ＿ＯＵＴｎから出力するブリッジ機能と、２線式シリアルＬＶＤＳで入力された駆動データを２線シリアルで中継出力端子ＳＣＬ＿ＯＵＴｐ、ＳＣＬ＿ＯＵＴｎ、ＳＤＡ＿ＯＵＴｐ、ＳＤＡ＿ＯＵＴｎから出力するリピータ機能とを有し、他のドライバに駆動データを２線式シリアルＬＶＤＳで中継することができる。ドライバＩＣ１２１は、サブＣＰＵ１２０、及び、中継先のドライバにＡＣＫなどの応答信号を返信させるためにかかる処理負荷を削減するために、駆動データを片方向通信で出力する。
【０１１９】
ドライバＩＣ１２１は、内部設定用のレジスタ（アドレス００Ｈ）と、出力端子ＯＵＴ００〜ＯＵＴ２３に対応するレジスタ（アドレス０１Ｈ〜１８Ｈ）を有している。ドライバＩＣ１２１には、ドライバアドレス（１バイト目）、レジスタアドレス（２バイト目）及びレジスタ値（３バイト目以降）を含むデータがシリアルに入力される。
【０１２０】
ドライバＩＣ１２１は、アドレス設定端子Ａ０〜Ａ５によって設定されたドライバアドレスと、入力されたデータのドライバアドレスが一致した場合には、レジスタアドレスが示すレジスタからレジスタ値を順次設定する。
【０１２１】
ドライバＩＣ１２１は、ＰＷＭ制御手段を構成し、ＰＷＭ（Pulse Width Modulation）制御を実行することによって、各レジスタに設定されたレジスタ値のデューティ比に基づいて制御された駆動信号を各出力端子ＯＵＴ００〜ＯＵＴ２３から出力する。
【０１２２】
本実施の形態において、レジスタ値がＦＦＨ（２５５）の場合には、デューティ比が１００％の駆動信号が出力され、駆動対象のＬＥＤの輝度が最も高くなり、レジスタ値が０の場合には、デューティ比が０％の駆動信号が出力（駆動信号の出力を停止）され、駆動対象のＬＥＤが非発光（消灯）状態になる。
【０１２３】
出力端子ＯＵＴ００〜ＯＵＴ２３を同時に駆動開始させると、各出力端子から発生するスイッチングノイズが同時に発生することになり、ノイズを増幅させて出力端子に接続されているＬＥＤを誤動作させる原因となる。
【０１２４】
このため、ドライバＩＣ１２１は、遅延手段を構成し、各出力端子ＯＵＴ００〜ＯＵＴ２３から出力する駆動信号を遅延させることが可能になっている。ドライバＩＣ１２１は、スイッチングノイズを低減させるために、出力端子ＯＵＴ００〜ＯＵＴ２３で順次、位相を異ならせて出力端子ＯＵＴ００〜ＯＵＴ２３から駆動信号の出力を開始可能になっている。
【０１２５】
また、ドライバＩＣ１２１は、モード設定手段を構成し、出力端子ＯＵＴ００〜ＯＵＴ２３を所定数の端子毎のグループにグループ化する第１モード及び出力端子ＯＵＴ００〜ＯＵＴ２３をグループ化しない第２モードのいずれかのモードに設定可能になっている。
【０１２６】
本実施の形態において、ドライバＩＣ１２１は、内部設定用のレジスタ（アドレス００Ｈ）の所定のビット（８ビット目、ＢＩＴ７）が１の場合には、第１モードとなり、当該ビットが０の場合には、第２モードとなる。
【０１２７】
図１１（ａ）に示すように、第２モードにおいて、ドライバＩＣ１２１は、固定遅延Ｔｄ間隔で、出力端子ＯＵＴ００〜ＯＵＴ２３から駆動信号の出力を開始する。本実施の形態において、固定遅延Ｔｄは、シリアル信号（上述した、３線式シリアル又は２線式シリアルＬＶＤＳ）の１バイトの伝送時間に設定される。例えば、シリアル信号のクロックを１０ＭＨｚと仮定すると、固定遅延Ｔｄは、０．８μｓとなる。
【０１２８】
このように、各レジスタの書き込み間隔（シリアル信号の受信間隔）に、各レジスタの読み込み間隔（駆動信号の出力間隔）を一致させることで、ドライバＩＣ１２１は、各レジスタの読み込み期間と書き込み期間とが重なることを防止する。
【０１２９】
第１モードにおいて、本実施の形態におけるドライバＩＣ１２１は、出力端子ＯＵＴ００〜ＯＵＴ２３を３端子毎のグループにグループ化する。すなわち、ドライバＩＣ１２１は、出力端子ＯＵＴ００〜ＯＵＴ０２、出力端子ＯＵＴ０３〜ＯＵＴ０５、出力端子ＯＵＴ０６〜ＯＵＴ０８、出力端子ＯＵＴ０９〜ＯＵＴ１１、出力端子ＯＵＴ１２〜ＯＵＴ１４、出力端子ＯＵＴ１５〜ＯＵＴ１７、出力端子ＯＵＴ１８〜ＯＵＴ２０及び出力端子ＯＵＴ２１〜ＯＵＴ２３を所定数である３端子毎に、それぞれグループ０〜７の８グループにグループ化する。
【０１３０】
このグループ化によって、例えば、各グループを構成する出力端子にＬＥＤを接続する場合、複数の出力端子からＬＥＤに電力が供給されるので、グループ化していないＬＥＤよりも消費電力の高い高輝度のＬＥＤを使用することができる（例えば、図１８、図１９等参照）。
【０１３１】
図１１（ｂ）に示すように、第１モードにおいて、ドライバＩＣ１２１は、固定遅延Ｔｇｄ間隔で、グループ０〜グループ７から駆動信号の出力を開始する。固定遅延Ｔｇｄは、グループを構成する端子数に応じて設定される。
【０１３２】
したがって、本実施の形態における固定遅延Ｔｇｄは、シリアル信号の３バイトの伝送時間に設定される。例えば、シリアル信号のクロックを１０ＭＨｚと仮定すると、固定遅延は、２．４μｓとなる。このように、第２モードと同様に、ドライバＩＣ１２１は、各レジスタの読み込み期間と書き込み期間とが重なることを防止する。
【０１３３】
図１０において、本実施の形態におけるドライバＩＣ１２１は、内部設定用のレジスタ（アドレス００Ｈ）の所定のビット（７ビット目、ＢＩＴ６）が０の場合には、全ての出力端子ＯＵＴ００〜ＯＵＴ２３の状態をディスエーブル状態にし、当該ビットが１の場合には、全ての出力端子ＯＵＴ００〜ＯＵＴ２３の状態をイネーブル状態にする。
【０１３４】
すなわち、ドライバＩＣ１２１は、内部設定用のレジスタ（アドレス００Ｈ）の所定のビット（７ビット目、ＢＩＴ６）が０に設定されている場合には、各出力端子ＯＵＴ００〜ＯＵＴ２３からデューティ比が０％の駆動信号を出力する（駆動信号の出力を停止）。したがって、各出力端子ＯＵＴ００〜ＯＵＴ２３にＬＥＤが接続されている場合には、全てのＬＥＤが非発光（消灯）状態となる。
【０１３５】
マスタドライバとして機能するドライバＩＣ１２１は、入力端子ＳＣＬ＿ＩＮｎに、一定時間（本実施の形態においては、２００ｎｓ）以上のパルス（アクティブローパルス）を検出した場合には、中継出力端子ＳＣＬ＿ＯＵＴｐ、ＳＣＬ＿ＯＵＴｎ、ＳＤＡ＿ＯＵＴｐ、ＳＤＡ＿ＯＵＴｎに直接に接続されているドライバＩＣ１２２及びドライバＩＣ１２７と、ドライバＩＣ１２２又はドライバＩＣ１２７を介して接続されている各ドライバとを初期化させる信号を中継出力端子ＳＣＬ＿ＯＵＴｐ、ＳＣＬ＿ＯＵＴｎ、ＳＤＡ＿ＯＵＴｐ、ＳＤＡ＿ＯＵＴｎから出力する。
【０１３６】
したがって、サブＣＰＵ１２０は、ドライバＩＣ１２１の入力端子ＳＣＬ＿ＩＮｎに、２００ｎｓ以上のアクティブローパルスを出力することにより、他の全てのドライバＩＣ１２２〜１３１（図９参照）を初期化することができる。
【０１３７】
なお、本実施の形態において、ドライバＩＣ１２１の出力端子ＯＵＴ００〜ＯＵＴ２３には、いずれのＬＥＤも接続されていないが、前述したように出力端子ＯＵＴ００〜ＯＵＴ２３は、定電流シンク出力より多い電流を流せるオープンドレイン出力であるため、例えば、図１２に示すように、パトランプ５などの比較的に大きな電力で駆動するデバイスを接続してもよい。
【０１３８】
＜下部周辺接続基板及びその周辺基板＞
図１３において、下部周辺接続基板８２は、前述したように、ドライバアドレスとして０１Ｈが設定されたドライバＩＣ１２７と、ドライバアドレスとして０２Ｈが設定されたドライバＩＣ１２８と、ドライバアドレスとして０３Ｈが設定されたドライバＩＣ１２９とを有する。
【０１３９】
各ドライバＩＣ１２７、ドライバＩＣ１２８及びドライバＩＣ１２９は、図１０を参照して説明したドライバＩＣ１２１に対して、消費電流を抑制するため、出力端子ＯＵＴ００〜ＯＵＴ２３が定電流シンク出力である点を除いて同一に構成されているため、詳細な説明を省略する。
【０１４０】
ドライバＩＣ１２７は、アドレス設定端子Ａ０〜Ａ５によってドライバアドレスとして０１Ｈが設定されている。したがって、ドライバＩＣ１２７は、スレーブドライバとして機能する。ドライバＩＣ１２７には、副中継基板６９のドライバＩＣ１２１から２線式シリアルＬＶＤＳで駆動データが入力されるため、入力設定端子ＭＯＤＥは、Ｌｏｗ（グランドレベル）に設定されている。
【０１４１】
ドライバＩＣ１２７の入力端子ＳＣＬ＿ＩＮｐ、ＳＣＬ＿ＩＮｎ、ＳＤＡ＿ＩＮｐ、ＳＤＡ＿ＩＮｎは、副中継基板６９のドライバＩＣ１２１の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０１４２】
ドライバＩＣ１２７は、出力端子ＯＵＴ００〜ＯＵＴ２３をグループ化しない第２モードに設定されている。ドライバＩＣ１２７の出力端子ＯＵＴ００〜ＯＵＴ０２は、投入／精算ユニット１０７に接続されている。投入／精算ユニット１０７には、ＭＡＸベットボタンＤＤ８に裏面から光を照射するＬＥＤモジュール１０７ａが設けられている。なお、ＬＥＤモジュールは、１又は複数のＬＥＤがモジュール化された電子部品であり、チップ又はパッケージによって構成される。
【０１４３】
ＬＥＤモジュール１０７ａは、赤色（Ｒ）ＬＥＤ、緑色（Ｇ）ＬＥＤ、青色（Ｂ）ＬＥＤを有するフルカラーＬＥＤであり、各ＬＥＤには、副中継基板６９から供給された駆動電圧ＶＣＣ（＋５Ｖ）が供給されている。各ＬＥＤは、ドライバＩＣ１２７の出力端子ＯＵＴ００〜ＯＵＴ０２から出力された各駆動信号のデューティ比に応じて発光又は消灯する。
【０１４４】
ドライバＩＣ１２７の出力端子ＯＵＴ０３〜ＯＵＴ１１は、停止ボタンＬＥＤ基板１０６に接続されている。停止ボタンＬＥＤ基板１０６には、ストップボタンＤＤ７Ｌ，ＤＤ７Ｃ，ＤＤ７Ｒに裏面から光を照射するＬＥＤモジュール１０６ａ、１０６ｂ、１０６ｃがそれぞれ設けられている。
【０１４５】
ＬＥＤモジュール１０６ａは、赤色（Ｒ）ＬＥＤ、緑色（Ｇ）ＬＥＤ、青色（Ｂ）ＬＥＤを有し、各ＬＥＤには、副中継基板６９から供給された駆動電圧ＶＣＣ（＋５Ｖ）が供給されている。各ＬＥＤは、ドライバＩＣ１２７の出力端子ＯＵＴ０３〜ＯＵＴ０５から出力された各駆動信号のデューティ比に応じて発光又は消灯する。
【０１４６】
ＬＥＤモジュール１０６ｂは、赤色（Ｒ）ＬＥＤ、緑色（Ｇ）ＬＥＤ、青色（Ｂ）ＬＥＤを有し、各ＬＥＤには、副中継基板６９から供給された駆動電圧ＶＣＣ（＋５Ｖ）が供給されている。各ＬＥＤは、ドライバＩＣ１２７の出力端子ＯＵＴ０６〜ＯＵＴ０８から出力された各駆動信号のデューティ比に応じて発光又は消灯する。
【０１４７】
ＬＥＤモジュール１０６ｃは、赤色（Ｒ）ＬＥＤ、緑色（Ｇ）ＬＥＤ、青色（Ｂ）ＬＥＤを有し、各ＬＥＤには、副中継基板６９から供給された駆動電圧ＶＣＣ（＋５Ｖ）が供給されている。各ＬＥＤは、ドライバＩＣ１２７の出力端子ＯＵＴ０９〜ＯＵＴ１１から出力された各駆動信号のデューティ比に応じて発光又は消灯する。
【０１４８】
ドライバＩＣ１２８は、アドレス設定端子Ａ０〜Ａ５によってドライバアドレスとして０２Ｈが設定されている。したがって、ドライバＩＣ１２８は、スレーブドライバとして機能する。ドライバＩＣ１２８には、ドライバＩＣ１２７から２線式シリアルＬＶＤＳで駆動データが入力されるため、入力設定端子ＭＯＤＥは、グランドラインに接続されＬｏｗレベルに設定されている。
【０１４９】
ドライバＩＣ１２８の入力端子ＳＣＬ＿ＩＮｐ、ＳＣＬ＿ＩＮｎ、ＳＤＡ＿ＩＮｐ、ＳＤＡ＿ＩＮｎは、ドライバＩＣ１２７の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０１５０】
ドライバＩＣ１２８は、出力端子ＯＵＴ００〜ＯＵＴ２３をグループ化しない第２モードに設定されている。ドライバＩＣ１２８の出力端子ＯＵＴ００〜ＯＵＴ０８は、ナビＬＥＤ基板１０４に接続されている。
【０１５１】
ナビＬＥＤ基板１０４には、リールＲＬに対応するＬＥＤモジュール１０４ａ、１０４ｂと、リールＲＣに対応するＬＥＤモジュール１０４ｃ、１０４ｄと、リールＲＲに対応するＬＥＤモジュール１０４ｅ、１０４ｆが設けられている。
【０１５２】
ＬＥＤモジュール１０４ａ及びＬＥＤモジュール１０４ｂは、赤色（Ｒ）ＬＥＤ、緑色（Ｇ）ＬＥＤ、青色（Ｂ）ＬＥＤを有するフルカラーＬＥＤである。ＬＥＤモジュール１０４ａの各ＬＥＤは、アノードがＬＥＤモジュール１０４ｂの各ＬＥＤのカソードに接続され、カソードがドライバＩＣ１２８の各出力端子ＯＵＴ００〜ＯＵＴ０２に接続されている。
【０１５３】
ＬＥＤモジュール１０４ｂの各ＬＥＤのアノードには、副中継基板６９から供給された１２Ｖの駆動電圧が供給されている。ＬＥＤモジュール１０４ａの各ＬＥＤと、ＬＥＤモジュール１０４ｂの各ＬＥＤとは、ドライバＩＣ１２８の出力端子ＯＵＴ００〜ＯＵＴ０２から出力された各駆動信号のデューティ比に応じて発光又は消灯する。
【０１５４】
ＬＥＤモジュール１０４ｃ及びＬＥＤモジュール１０４ｄは、赤色（Ｒ）ＬＥＤ、緑色（Ｇ）ＬＥＤ、青色（Ｂ）ＬＥＤを有するフルカラーＬＥＤである。ＬＥＤモジュール１０４ｃの各ＬＥＤは、アノードがＬＥＤモジュール１０４ｄの各ＬＥＤのカソードに接続され、カソードがドライバＩＣ１２８の各出力端子ＯＵＴ０３〜ＯＵＴ０５に接続されている。
【０１５５】
ＬＥＤモジュール１０４ｄの各ＬＥＤのアノードには、副中継基板６９から供給された１２Ｖの駆動電圧が供給されている。ＬＥＤモジュール１０４ｃの各ＬＥＤと、ＬＥＤモジュール１０４ｄの各ＬＥＤとは、ドライバＩＣ１２８の出力端子ＯＵＴ０３〜ＯＵＴ０５から出力された各駆動信号のデューティ比に応じて発光又は消灯する。
【０１５６】
ＬＥＤモジュール１０４ｅ及びＬＥＤモジュール１０４ｆは、赤色（Ｒ）ＬＥＤ、緑色（Ｇ）ＬＥＤ、青色（Ｂ）ＬＥＤを有するフルカラーＬＥＤである。ＬＥＤモジュール１０４ｅの各ＬＥＤは、アノードがＬＥＤモジュール１０４ｆの各ＬＥＤのカソードに接続され、カソードがドライバＩＣ１２８の各出力端子ＯＵＴ０６〜ＯＵＴ０８に接続されている。
【０１５７】
ＬＥＤモジュール１０４ｆの各ＬＥＤのアノードには、副中継基板６９から供給された１２Ｖの駆動電圧が供給されている。ＬＥＤモジュール１０４ｅの各ＬＥＤと、ＬＥＤモジュール１０４ｆの各ＬＥＤとは、ドライバＩＣ１２８の出力端子ＯＵＴ０６〜ＯＵＴ０８から出力された各駆動信号のデューティ比に応じて発光又は消灯する。
【０１５８】
ドライバＩＣ１２８の出力端子ＯＵＴ０９〜ＯＵＴ１１は、中チャンスボタンユニット１０９に接続されている。中チャンスボタンユニット１０９には、中チャンスボタン１５８に裏面から光を照射するＬＥＤモジュール１０９ａ、１０９ｂが設けられている。
【０１５９】
ＬＥＤモジュール１０９ａ及びＬＥＤモジュール１０９ｂは、赤色（Ｒ）ＬＥＤ、緑色（Ｇ）ＬＥＤ、青色（Ｂ）ＬＥＤを有するフルカラーＬＥＤである。ＬＥＤモジュール１０９ａの各ＬＥＤは、アノードがＬＥＤモジュール１０９ｂの各ＬＥＤのカソードに接続され、カソードがドライバＩＣ１２８の各出力端子ＯＵＴ０９〜ＯＵＴ１１に接続されている。
【０１６０】
ＬＥＤモジュール１０９ｂの各ＬＥＤのアノードには、副中継基板６９から供給された１２Ｖの駆動電圧が供給されている。ＬＥＤモジュール１０９ａの各ＬＥＤと、ＬＥＤモジュール１０９ｂの各ＬＥＤとは、ドライバＩＣ１２８の出力端子ＯＵＴ０９〜ＯＵＴ１１から出力された各駆動信号のデューティ比に応じて発光又は消灯する。
【０１６１】
ドライバＩＣ１２８の出力端子ＯＵＴ１２〜ＯＵＴ１４は、右チャンスボタンユニット１０８に接続されている。右チャンスボタンユニット１０８には、右チャンスボタン１５７に裏面から光を照射するＬＥＤモジュール１０８ａ、１０８ｂが設けられている。
【０１６２】
ＬＥＤモジュール１０８ａ及びＬＥＤモジュール１０８ｂは、赤色（Ｒ）ＬＥＤ、緑色（Ｇ）ＬＥＤ、青色（Ｂ）ＬＥＤを有するフルカラーＬＥＤである。ＬＥＤモジュール１０８ａの各ＬＥＤは、アノードがＬＥＤモジュール１０８ｂの各ＬＥＤのカソードに接続され、カソードがドライバＩＣ１２８の各出力端子ＯＵＴ１２〜ＯＵＴ１４に接続されている。
【０１６３】
ＬＥＤモジュール１０８ｂの各ＬＥＤのアノードには、副中継基板６９から供給された１２Ｖの駆動電圧が供給されている。ＬＥＤモジュール１０８ａの各ＬＥＤと、ＬＥＤモジュール１０８ｂの各ＬＥＤとは、ドライバＩＣ１２８の出力端子ＯＵＴ１２〜ＯＵＴ１４から出力された各駆動信号のデューティ比に応じて発光又は消灯する。
【０１６４】
ドライバＩＣ１２８の出力端子ＯＵＴ１５〜ＯＵＴ１７は、中部右ＬＥＤ基板１０３に接続されている。中部右ＬＥＤ基板１０３には、ＬＥＤモジュール１０３ａ、１０３ｂが設けられている。
【０１６５】
ＬＥＤモジュール１０３ａ及びＬＥＤモジュール１０３ｂは、赤色（Ｒ）ＬＥＤ、緑色（Ｇ）ＬＥＤ、青色（Ｂ）ＬＥＤを有するフルカラーＬＥＤである。ＬＥＤモジュール１０３ａの各ＬＥＤは、アノードがＬＥＤモジュール１０３ｂの各ＬＥＤのカソードに接続され、カソードがドライバＩＣ１２８の各出力端子ＯＵＴ１５〜ＯＵＴ１７に接続されている。
【０１６６】
ＬＥＤモジュール１０３ｂの各ＬＥＤのアノードには、副中継基板６９から供給された１２Ｖの駆動電圧が供給されている。ＬＥＤモジュール１０３ａの各ＬＥＤと、ＬＥＤモジュール１０３ｂの各ＬＥＤとは、ドライバＩＣ１２８の出力端子ＯＵＴ１５〜ＯＵＴ１７から出力された各駆動信号のデューティ比に応じて発光又は消灯する。
【０１６７】
ドライバＩＣ１２９は、アドレス設定端子Ａ０〜Ａ５によってドライバアドレスとして０３Ｈが設定されている。したがって、ドライバＩＣ１２９は、スレーブドライバとして機能する。ドライバＩＣ１２９には、ドライバＩＣ１２７から２線式シリアルＬＶＤＳで駆動データが入力されるため、入力設定端子ＭＯＤＥは、グランドラインに接続されＬｏｗレベルに設定されている。
【０１６８】
ドライバＩＣ１２９の入力端子ＳＣＬ＿ＩＮｐ、ＳＣＬ＿ＩＮｎ、ＳＤＡ＿ＩＮｐ、ＳＤＡ＿ＩＮｎは、ドライバＩＣ１２７の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０１６９】
ドライバＩＣ１２９は、出力端子ＯＵＴ００〜ＯＵＴ２３をグループ化しない第２モードに設定されている。ドライバＩＣ１２９の出力端子ＯＵＴ００〜ＯＵＴ０２は、第１回胴バックライト１１０に接続されている。
【０１７０】
第１回胴バックライト１１０には、リールＲＬの上段に内側から光を照射するＬＥＤモジュール１１０ａ、１１０ｂと、リールＲＬの中段に内側から光を照射する１１０ｃ、１１０ｄと、リールＲＬの下段に内側から光を照射する１１０ｅ、１１０ｆが設けられている。
【０１７１】
ＬＥＤモジュール１１０ａ及びＬＥＤモジュール１１０ｂは、透明光ＬＥＤを有する。ＬＥＤモジュール１１０ａのＬＥＤは、アノードがＬＥＤモジュール１１０ｂのＬＥＤのカソードに接続され、カソードがドライバＩＣ１２９の出力端子ＯＵＴ００に接続されている。
【０１７２】
ＬＥＤモジュール１１０ｂのＬＥＤのアノードには、副中継基板６９から供給された１２Ｖの駆動電圧が供給されている。ＬＥＤモジュール１１０ａのＬＥＤと、ＬＥＤモジュール１１０ｂのＬＥＤとは、ドライバＩＣ１２９の出力端子ＯＵＴ００から出力された駆動信号のデューティ比に応じて発光又は消灯する。
【０１７３】
ＬＥＤモジュール１１０ｃ及びＬＥＤモジュール１１０ｄは、透明光ＬＥＤを有する。ＬＥＤモジュール１１０ｃのＬＥＤは、アノードがＬＥＤモジュール１１０ｄのＬＥＤのカソードに接続され、カソードがドライバＩＣ１２９の出力端子ＯＵＴ０１に接続されている。
【０１７４】
ＬＥＤモジュール１１０ｄのＬＥＤのアノードには、副中継基板６９から供給された１２Ｖの駆動電圧が供給されている。ＬＥＤモジュール１１０ｃのＬＥＤと、ＬＥＤモジュール１１０ｄのＬＥＤとは、ドライバＩＣ１２９の出力端子ＯＵＴ０１から出力された駆動信号のデューティ比に応じて発光又は消灯する。
【０１７５】
ＬＥＤモジュール１１０ｅ及びＬＥＤモジュール１１０ｆは、透明光ＬＥＤを有する。ＬＥＤモジュール１１０ｅのＬＥＤは、アノードがＬＥＤモジュール１１０ｆのＬＥＤのカソードに接続され、カソードがドライバＩＣ１２９の出力端子ＯＵＴ０２に接続されている。
【０１７６】
ＬＥＤモジュール１１０ｆのＬＥＤのアノードには、副中継基板６９から供給された１２Ｖの駆動電圧が供給されている。ＬＥＤモジュール１１０ｅのＬＥＤと、ＬＥＤモジュール１１０ｆのＬＥＤとは、ドライバＩＣ１２９の出力端子ＯＵＴ０２から出力された駆動信号のデューティ比に応じて発光又は消灯する。
【０１７７】
ドライバＩＣ１２９の出力端子ＯＵＴ０３〜ＯＵＴ０５は、第２回胴バックライト１１１に接続されている。第２回胴バックライト１１１には、リールＲＣの上段に内側から光を照射するＬＥＤモジュール１１１ａ、１１１ｂと、リールＲＣの中段に内側から光を照射する１１１ｃ、１１１ｄと、リールＲＣの下段に内側から光を照射する１１１ｅ、１１１ｆが設けられている。
【０１７８】
ＬＥＤモジュール１１１ａ及びＬＥＤモジュール１１１ｂは、透明光ＬＥＤを有する。ＬＥＤモジュール１１１ａのＬＥＤは、アノードがＬＥＤモジュール１１１ｂのＬＥＤのカソードに接続され、カソードがドライバＩＣ１２９の出力端子ＯＵＴ０３に接続されている。
【０１７９】
ＬＥＤモジュール１１１ｂのＬＥＤのアノードには、副中継基板６９から供給された１２Ｖの駆動電圧が供給されている。ＬＥＤモジュール１１１ａのＬＥＤと、ＬＥＤモジュール１１１ｂのＬＥＤとは、ドライバＩＣ１２９の出力端子ＯＵＴ０３から出力された駆動信号のデューティ比に応じて発光又は消灯する。
【０１８０】
ＬＥＤモジュール１１１ｃ及びＬＥＤモジュール１１１ｄは、透明光ＬＥＤを有する。ＬＥＤモジュール１１１ｃのＬＥＤは、アノードがＬＥＤモジュール１１１ｄのＬＥＤのカソードに接続され、カソードがドライバＩＣ１２９の出力端子ＯＵＴ０４に接続されている。
【０１８１】
ＬＥＤモジュール１１１ｄのＬＥＤのアノードには、副中継基板６９から供給された１２Ｖの駆動電圧が供給されている。ＬＥＤモジュール１１１ｃのＬＥＤと、ＬＥＤモジュール１１１ｄのＬＥＤとは、ドライバＩＣ１２９の出力端子ＯＵＴ０４から出力された駆動信号のデューティ比に応じて発光又は消灯する。
【０１８２】
ＬＥＤモジュール１１１ｅ及びＬＥＤモジュール１１１ｆは、透明光ＬＥＤを有する。ＬＥＤモジュール１１１ｅのＬＥＤは、アノードがＬＥＤモジュール１１１ｆのＬＥＤのカソードに接続され、カソードがドライバＩＣ１２９の出力端子ＯＵＴ０５に接続されている。
【０１８３】
ＬＥＤモジュール１１１ｆのＬＥＤのアノードには、副中継基板６９から供給された１２Ｖの駆動電圧が供給されている。ＬＥＤモジュール１１１ｅのＬＥＤと、ＬＥＤモジュール１１１ｆのＬＥＤとは、ドライバＩＣ１２９の出力端子ＯＵＴ０５から出力された駆動信号のデューティ比に応じて発光又は消灯する。
【０１８４】
ドライバＩＣ１２９の出力端子ＯＵＴ０６〜ＯＵＴ０８は、第３回胴バックライト１１２に接続されている。第３回胴バックライト１１２には、リールＲＲの上段に内側から光を照射するＬＥＤモジュール１１２ａ、１１２ｂと、リールＲＲの中段に内側から光を照射する１１２ｃ、１１２ｄと、リールＲＲの下段に内側から光を照射する１１２ｅ、１１２ｆが設けられている。
【０１８５】
ＬＥＤモジュール１１２ａ及びＬＥＤモジュール１１２ｂは、透明光ＬＥＤを有する。ＬＥＤモジュール１１２ａのＬＥＤは、アノードがＬＥＤモジュール１１２ｂのＬＥＤのカソードに接続され、カソードがドライバＩＣ１２９の出力端子ＯＵＴ０６に接続されている。
【０１８６】
ＬＥＤモジュール１１２ｂのＬＥＤのアノードには、副中継基板６９から供給された１２Ｖの駆動電圧が供給されている。ＬＥＤモジュール１１２ａのＬＥＤと、ＬＥＤモジュール１１２ｂのＬＥＤとは、ドライバＩＣ１２９の出力端子ＯＵＴ０６から出力された駆動信号のデューティ比に応じて発光又は消灯する。
【０１８７】
ＬＥＤモジュール１１２ｃ及びＬＥＤモジュール１１２ｄは、透明光ＬＥＤを有する。ＬＥＤモジュール１１２ｃのＬＥＤは、アノードがＬＥＤモジュール１１２ｄのＬＥＤのカソードに接続され、カソードがドライバＩＣ１２９の出力端子ＯＵＴ０７に接続されている。
【０１８８】
ＬＥＤモジュール１１２ｄのＬＥＤのアノードには、副中継基板６９から供給された１２Ｖの駆動電圧が供給されている。ＬＥＤモジュール１１２ｃのＬＥＤと、ＬＥＤモジュール１１２ｄのＬＥＤとは、ドライバＩＣ１２９の出力端子ＯＵＴ０７から出力された駆動信号のデューティ比に応じて発光又は消灯する。
【０１８９】
ＬＥＤモジュール１１２ｅ及びＬＥＤモジュール１１２ｆは、透明光ＬＥＤを有する。ＬＥＤモジュール１１２ｅのＬＥＤは、アノードがＬＥＤモジュール１１２ｆのＬＥＤのカソードに接続され、カソードがドライバＩＣ１２９の出力端子ＯＵＴ０８に接続されている。
【０１９０】
ＬＥＤモジュール１１２ｆのＬＥＤのアノードには、副中継基板６９から供給された１２Ｖの駆動電圧が供給されている。ＬＥＤモジュール１１２ｅのＬＥＤと、ＬＥＤモジュール１１２ｆのＬＥＤとは、ドライバＩＣ１２９の出力端子ＯＵＴ０８から出力された駆動信号のデューティ比に応じて発光又は消灯する。
【０１９１】
ドライバＩＣ１２９の出力端子ＯＵＴ０９〜ＯＵＴ１１は、回胴照明基板１０５に接続されている。回胴照明基板１０５には、リールＲＬに外側から光を照射するＬＥＤモジュール１０５ａ、１０５ｂ、１０５ｃと、リールＲＣに外側から光を照射する１０５ｄ、１０５ｅ、１０５ｆと、リールＲＲに外側から光を照射する１０５ｇ、１０５ｈ、１０５ｊが設けられている。
【０１９２】
ＬＥＤモジュール１０５ａ及びＬＥＤモジュール１０５ｂは、透明光ＬＥＤを有する。ＬＥＤモジュール１０５ｃは、透明光ＬＥＤを有する。ＬＥＤモジュール１０５ａのＬＥＤは、アノードがＬＥＤモジュール１０５ｂのＬＥＤのカソードに接続され、カソードがドライバＩＣ１２９の出力端子ＯＵＴ０９に接続されている。ＬＥＤモジュール１０５ｂのＬＥＤは、アノードがＬＥＤモジュール１０５ｃのＬＥＤのカソードに接続されている。
【０１９３】
ＬＥＤモジュール１０５ｃのＬＥＤのアノードには、副中継基板６９から供給された１２Ｖの駆動電圧が供給されている。ＬＥＤモジュール１０５ａのＬＥＤと、ＬＥＤモジュール１０５ｂのＬＥＤと、ＬＥＤモジュール１０５ｃのＬＥＤとは、ドライバＩＣ１２９の出力端子ＯＵＴ０９から出力された駆動信号のデューティ比に応じて発光又は消灯する。
【０１９４】
ＬＥＤモジュール１０５ｄ及びＬＥＤモジュール１０５ｅは、透明光ＬＥＤを有する。ＬＥＤモジュール１０５ｆは、透明光ＬＥＤを有する。ＬＥＤモジュール１０５ｄのＬＥＤは、アノードがＬＥＤモジュール１０５ｅのＬＥＤのカソードに接続され、カソードがドライバＩＣ１２９の出力端子ＯＵＴ１０に接続されている。ＬＥＤモジュール１０５ｅのＬＥＤは、アノードがＬＥＤモジュール１０５ｆのＬＥＤのカソードに接続されている。
【０１９５】
ＬＥＤモジュール１０５ｆのＬＥＤのアノードには、副中継基板６９から供給された１２Ｖの駆動電圧が供給されている。ＬＥＤモジュール１０５ｄのＬＥＤと、ＬＥＤモジュール１０５ｅのＬＥＤと、ＬＥＤモジュール１０５ｆのＬＥＤとは、ドライバＩＣ１２９の出力端子ＯＵＴ１０から出力された駆動信号のデューティ比に応じて発光又は消灯する。
【０１９６】
ＬＥＤモジュール１０５ｇ及びＬＥＤモジュール１０５ｈは、透明光ＬＥＤを有する。ＬＥＤモジュール１０５ｊは、透明光ＬＥＤを有する。ＬＥＤモジュール１０５ｇのＬＥＤは、アノードがＬＥＤモジュール１０５ｈのＬＥＤのカソードに接続され、カソードがドライバＩＣ１２９の出力端子ＯＵＴ１１に接続されている。ＬＥＤモジュール１０５ｈのＬＥＤは、アノードがＬＥＤモジュール１０５ｊのＬＥＤのカソードに接続されている。
【０１９７】
ＬＥＤモジュール１０５ｊのＬＥＤのアノードには、副中継基板６９から供給された１２Ｖの駆動電圧が供給されている。ＬＥＤモジュール１０５ｇのＬＥＤと、ＬＥＤモジュール１０５ｈのＬＥＤと、ＬＥＤモジュール１０５ｊのＬＥＤとは、ドライバＩＣ１２９の出力端子ＯＵＴ１１から出力された駆動信号のデューティ比に応じて発光又は消灯する。
【０１９８】
＜下部左ＬＥＤ基板＞
図１４において、下部左ＬＥＤ基板１０１は、前述したように、ドライバアドレスとして０４Ｈが設定されたドライバＩＣ１３０を有する。ドライバＩＣ１３０は、図１３を参照して説明したドライバＩＣ１２７と同一に構成されているため、詳細な説明を省略する。
【０１９９】
ドライバＩＣ１３０は、アドレス設定端子Ａ０〜Ａ５によってドライバアドレスとして０４Ｈが設定されている。したがって、ドライバＩＣ１３０は、スレーブドライバとして機能する。ドライバＩＣ１３０には、下部周辺接続基板８２のドライバＩＣ１２８から２線式シリアルＬＶＤＳで駆動データが入力されるため、入力設定端子ＭＯＤＥは、グランドラインに接続されＬｏｗレベルに設定されている。
【０２００】
ドライバＩＣ１３０の入力端子ＳＣＬ＿ＩＮｐ、ＳＣＬ＿ＩＮｎ、ＳＤＡ＿ＩＮｐ、ＳＤＡ＿ＩＮｎは、下部周辺接続基板８２のドライバＩＣ１２８の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０２０１】
ドライバＩＣ１３０は、出力端子ＯＵＴ００〜ＯＵＴ２３をグループ化しない第２モードに設定されている。下部左ＬＥＤ基板１０１には、ＬＥＤモジュール１３０ａ、１３０ｂ、１３０ｃ、１３０ｄ、１３０ｅ、１３０ｆ、１３０ｇ、１３０ｈ、１３０ｉ、１３０ｊ、１３０ｋ、１３０ｍが設けられている。
【０２０２】
ＬＥＤモジュール１３０ａ及びＬＥＤモジュール１３０ｂは、赤色（Ｒ）ＬＥＤ、緑色（Ｇ）ＬＥＤ、青色（Ｂ）ＬＥＤを有するフルカラーＬＥＤである。ＬＥＤモジュール１３０ａの各ＬＥＤは、アノードがＬＥＤモジュール１３０ｂの各ＬＥＤのカソードに接続され、カソードがドライバＩＣ１３０の各出力端子ＯＵＴ００〜ＯＵＴ０２に接続されている。
【０２０３】
ＬＥＤモジュール１３０ｂの各ＬＥＤのアノードには、副中継基板６９から供給された１２Ｖの駆動電圧が供給されている。ＬＥＤモジュール１３０ａの各ＬＥＤと、ＬＥＤモジュール１３０ｂの各ＬＥＤとは、ドライバＩＣ１３０の出力端子ＯＵＴ００〜ＯＵＴ０２から出力された各駆動信号のデューティ比に応じて発光又は消灯する。
【０２０４】
ＬＥＤモジュール１３０ｃ及びＬＥＤモジュール１３０ｄは、赤色（Ｒ）ＬＥＤ、緑色（Ｇ）ＬＥＤ、青色（Ｂ）ＬＥＤを有するフルカラーＬＥＤである。ＬＥＤモジュール１３０ｃの各ＬＥＤは、アノードがＬＥＤモジュール１３０ｄの各ＬＥＤのカソードに接続され、カソードがドライバＩＣ１３０の各出力端子ＯＵＴ０３〜ＯＵＴ０５に接続されている。
【０２０５】
ＬＥＤモジュール１３０ｄの各ＬＥＤのアノードには、副中継基板６９から供給された１２Ｖの駆動電圧が供給されている。ＬＥＤモジュール１３０ｃの各ＬＥＤと、ＬＥＤモジュール１３０ｄの各ＬＥＤとは、ドライバＩＣ１３０の出力端子ＯＵＴ０３〜ＯＵＴ０５から出力された各駆動信号のデューティ比に応じて発光又は消灯する。
【０２０６】
ＬＥＤモジュール１３０ｅ及びＬＥＤモジュール１３０ｆは、赤色（Ｒ）ＬＥＤ、緑色（Ｇ）ＬＥＤ、青色（Ｂ）ＬＥＤを有するフルカラーＬＥＤである。ＬＥＤモジュール１３０ｅの各ＬＥＤは、アノードがＬＥＤモジュール１３０ｆの各ＬＥＤのカソードに接続され、カソードがドライバＩＣ１３０の各出力端子ＯＵＴ０６〜ＯＵＴ０８に接続されている。
【０２０７】
ＬＥＤモジュール１３０ｆの各ＬＥＤのアノードには、副中継基板６９から供給された１２Ｖの駆動電圧が供給されている。ＬＥＤモジュール１３０ｅの各ＬＥＤと、ＬＥＤモジュール１３０ｆの各ＬＥＤとは、ドライバＩＣ１３０の出力端子ＯＵＴ０６〜ＯＵＴ０８から出力された各駆動信号のデューティ比に応じて発光又は消灯する。
【０２０８】
ＬＥＤモジュール１３０ｇ及びＬＥＤモジュール１３０ｈは、赤色（Ｒ）ＬＥＤ、緑色（Ｇ）ＬＥＤ、青色（Ｂ）ＬＥＤを有するフルカラーＬＥＤである。ＬＥＤモジュール１３０ｇの各ＬＥＤは、アノードがＬＥＤモジュール１３０ｈの各ＬＥＤのカソードに接続され、カソードがドライバＩＣ１３０の各出力端子ＯＵＴ０９〜ＯＵＴ１１に接続されている。
【０２０９】
ＬＥＤモジュール１３０ｈの各ＬＥＤのアノードには、副中継基板６９から供給された１２Ｖの駆動電圧が供給されている。ＬＥＤモジュール１３０ｇの各ＬＥＤと、ＬＥＤモジュール１３０ｈの各ＬＥＤとは、ドライバＩＣ１３０の出力端子ＯＵＴ０９〜ＯＵＴ１１から出力された各駆動信号のデューティ比に応じて発光又は消灯する。
【０２１０】
ＬＥＤモジュール１３０ｉ及びＬＥＤモジュール１３０ｊは、赤色（Ｒ）ＬＥＤ、緑色（Ｇ）ＬＥＤ、青色（Ｂ）ＬＥＤを有するフルカラーＬＥＤである。ＬＥＤモジュール１３０ｉの各ＬＥＤは、アノードがＬＥＤモジュール１３０ｊの各ＬＥＤのカソードに接続され、カソードがドライバＩＣ１３０の各出力端子ＯＵＴ１２〜ＯＵＴ１４に接続されている。
【０２１１】
ＬＥＤモジュール１３０ｊの各ＬＥＤのアノードには、副中継基板６９から供給された１２Ｖの駆動電圧が供給されている。ＬＥＤモジュール１３０ｉの各ＬＥＤと、ＬＥＤモジュール１３０ｊの各ＬＥＤとは、ドライバＩＣ１３０の出力端子ＯＵＴ１２〜ＯＵＴ１４から出力された各駆動信号のデューティ比に応じて発光又は消灯する。
【０２１２】
ＬＥＤモジュール１３０ｋ及びＬＥＤモジュール１３０ｍは、赤色（Ｒ）ＬＥＤ、緑色（Ｇ）ＬＥＤ、青色（Ｂ）ＬＥＤを有するフルカラーＬＥＤである。ＬＥＤモジュール１３０ｋの各ＬＥＤは、アノードがＬＥＤモジュール１３０ｍの各ＬＥＤのカソードに接続され、カソードがドライバＩＣ１３０の各出力端子ＯＵＴ１５〜ＯＵＴ１７に接続されている。
【０２１３】
ＬＥＤモジュール１３０ｍの各ＬＥＤのアノードには、副中継基板６９から供給された１２Ｖの駆動電圧が供給されている。ＬＥＤモジュール１３０ｋの各ＬＥＤと、ＬＥＤモジュール１３０ｍの各ＬＥＤとは、ドライバＩＣ１３０の出力端子ＯＵＴ１５〜ＯＵＴ１７から出力された各駆動信号のデューティ比に応じて発光又は消灯する。
【０２１４】
＜下部右ＬＥＤ基板＞
図１５において、下部右ＬＥＤ基板１０２は、前述したように、ドライバアドレスとして０５Ｈが設定されたドライバＩＣ１３１を有する。ドライバＩＣ１３１は、図１３を参照して説明したドライバＩＣ１２７と同一に構成されているため、詳細な説明を省略する。
【０２１５】
ドライバＩＣ１３１は、アドレス設定端子Ａ０〜Ａ５によってドライバアドレスとして０５Ｈが設定されている。したがって、ドライバＩＣ１３１は、スレーブドライバとして機能する。ドライバＩＣ１３１には、下部周辺接続基板８２のドライバＩＣ１２９から２線式シリアルＬＶＤＳで駆動データが入力されるため、入力設定端子ＭＯＤＥは、グランドラインに接続されＬｏｗレベルに設定されている。
【０２１６】
ドライバＩＣ１３１の入力端子ＳＣＬ＿ＩＮｐ、ＳＣＬ＿ＩＮｎ、ＳＤＡ＿ＩＮｐ、ＳＤＡ＿ＩＮｎは、下部周辺接続基板８２のドライバＩＣ１２９の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０２１７】
ドライバＩＣ１３１は、出力端子ＯＵＴ００〜ＯＵＴ２３をグループ化しない第２モードに設定されている。下部右ＬＥＤ基板１０２には、ＬＥＤモジュール１３１ａ、１３１ｂ、１３１ｃ、１３１ｄ、１３１ｅ、１３１ｆ、１３１ｇ、１３１ｈ、１３１ｉ、１３１ｊ、１３１ｋ、１３１ｍが設けられている。
【０２１８】
ＬＥＤモジュール１３１ａ及びＬＥＤモジュール１３１ｂは、赤色（Ｒ）ＬＥＤ、緑色（Ｇ）ＬＥＤ、青色（Ｂ）ＬＥＤを有するフルカラーＬＥＤである。ＬＥＤモジュール１３１ａの各ＬＥＤは、アノードがＬＥＤモジュール１３１ｂの各ＬＥＤのカソードに接続され、カソードがドライバＩＣ１３１の各出力端子ＯＵＴ００〜ＯＵＴ０２に接続されている。
【０２１９】
ＬＥＤモジュール１３１ｂの各ＬＥＤのアノードには、副中継基板６９から供給された１２Ｖの駆動電圧が供給されている。ＬＥＤモジュール１３１ａの各ＬＥＤと、ＬＥＤモジュール１３１ｂの各ＬＥＤとは、ドライバＩＣ１３１の出力端子ＯＵＴ００〜ＯＵＴ０２から出力された各駆動信号のデューティ比に応じて発光又は消灯する。
【０２２０】
ＬＥＤモジュール１３１ｃ及びＬＥＤモジュール１３１ｄは、赤色（Ｒ）ＬＥＤ、緑色（Ｇ）ＬＥＤ、青色（Ｂ）ＬＥＤを有するフルカラーＬＥＤである。ＬＥＤモジュール１３１ｃの各ＬＥＤは、アノードがＬＥＤモジュール１３１ｄの各ＬＥＤのカソードに接続され、カソードがドライバＩＣ１３１の各出力端子ＯＵＴ０３〜ＯＵＴ０５に接続されている。
【０２２１】
ＬＥＤモジュール１３１ｄの各ＬＥＤのアノードには、副中継基板６９から供給された１２Ｖの駆動電圧が供給されている。ＬＥＤモジュール１３１ｃの各ＬＥＤと、ＬＥＤモジュール１３１ｄの各ＬＥＤとは、ドライバＩＣ１３１の出力端子ＯＵＴ０３〜ＯＵＴ０５から出力された各駆動信号のデューティ比に応じて発光又は消灯する。
【０２２２】
ＬＥＤモジュール１３１ｅ及びＬＥＤモジュール１３１ｆは、赤色（Ｒ）ＬＥＤ、緑色（Ｇ）ＬＥＤ、青色（Ｂ）ＬＥＤを有するフルカラーＬＥＤである。ＬＥＤモジュール１３１ｅの各ＬＥＤは、アノードがＬＥＤモジュール１３１ｆの各ＬＥＤのカソードに接続され、カソードがドライバＩＣ１３１の各出力端子ＯＵＴ０６〜ＯＵＴ０８に接続されている。
【０２２３】
ＬＥＤモジュール１３１ｆの各ＬＥＤのアノードには、副中継基板６９から供給された１２Ｖの駆動電圧が供給されている。ＬＥＤモジュール１３１ｅの各ＬＥＤと、ＬＥＤモジュール１３１ｆの各ＬＥＤとは、ドライバＩＣ１３１の出力端子ＯＵＴ０６〜ＯＵＴ０８から出力された各駆動信号のデューティ比に応じて発光又は消灯する。
【０２２４】
ＬＥＤモジュール１３１ｇ及びＬＥＤモジュール１３１ｈは、赤色（Ｒ）ＬＥＤ、緑色（Ｇ）ＬＥＤ、青色（Ｂ）ＬＥＤを有するフルカラーＬＥＤである。ＬＥＤモジュール１３１ｇの各ＬＥＤは、アノードがＬＥＤモジュール１３１ｈの各ＬＥＤのカソードに接続され、カソードがドライバＩＣ１３１の各出力端子ＯＵＴ０９〜ＯＵＴ１１に接続されている。
【０２２５】
ＬＥＤモジュール１３１ｈの各ＬＥＤのアノードには、副中継基板６９から供給された１２Ｖの駆動電圧が供給されている。ＬＥＤモジュール１３１ｇの各ＬＥＤと、ＬＥＤモジュール１３１ｈの各ＬＥＤとは、ドライバＩＣ１３１の出力端子ＯＵＴ０９〜ＯＵＴ１１から出力された各駆動信号のデューティ比に応じて発光又は消灯する。
【０２２６】
ＬＥＤモジュール１３１ｉ及びＬＥＤモジュール１３１ｊは、赤色（Ｒ）ＬＥＤ、緑色（Ｇ）ＬＥＤ、青色（Ｂ）ＬＥＤを有するフルカラーＬＥＤである。ＬＥＤモジュール１３１ｉの各ＬＥＤは、アノードがＬＥＤモジュール１３１ｊの各ＬＥＤのカソードに接続され、カソードがドライバＩＣ１３１の各出力端子ＯＵＴ１２〜ＯＵＴ１４に接続されている。
【０２２７】
ＬＥＤモジュール１３１ｊの各ＬＥＤのアノードには、副中継基板６９から供給された１２Ｖの駆動電圧が供給されている。ＬＥＤモジュール１３１ｉの各ＬＥＤと、ＬＥＤモジュール１３１ｊの各ＬＥＤとは、ドライバＩＣ１３１の出力端子ＯＵＴ１２〜ＯＵＴ１４から出力された各駆動信号のデューティ比に応じて発光又は消灯する。
【０２２８】
ＬＥＤモジュール１３１ｋ及びＬＥＤモジュール１３１ｍは、赤色（Ｒ）ＬＥＤ、緑色（Ｇ）ＬＥＤ、青色（Ｂ）ＬＥＤを有するフルカラーＬＥＤである。ＬＥＤモジュール１３１ｋの各ＬＥＤは、アノードがＬＥＤモジュール１３１ｍの各ＬＥＤのカソードに接続され、カソードがドライバＩＣ１３１の各出力端子ＯＵＴ１５〜ＯＵＴ１７に接続されている。
【０２２９】
ＬＥＤモジュール１３１ｍの各ＬＥＤのアノードには、副中継基板６９から供給された１２Ｖの駆動電圧が供給されている。ＬＥＤモジュール１３１ｋの各ＬＥＤと、ＬＥＤモジュール１３１ｍの各ＬＥＤとは、ドライバＩＣ１３１の出力端子ＯＵＴ１５〜ＯＵＴ１７から出力された各駆動信号のデューティ比に応じて発光又は消灯する。
【０２３０】
＜上部中継基板・サイド右ＬＥＤ基板・トップ中央ＬＥＤ基板＞
図１６において、上部中継基板８１は、前述したように、ドライバアドレスとして１０Ｈが設定されたドライバＩＣ１２２を有する。ドライバＩＣ１２２は、図１３を参照して説明したドライバＩＣ１２７と同一に構成されているため、詳細な説明を省略する。
【０２３１】
ドライバＩＣ１２２は、アドレス設定端子Ａ０〜Ａ５によってドライバアドレスとして１０Ｈが設定されている。したがって、ドライバＩＣ１２２は、スレーブドライバとして機能する。ドライバＩＣ１２２には、副中継基板６９のドライバＩＣ１２１から２線式シリアルＬＶＤＳで駆動データが入力されるため、入力設定端子ＭＯＤＥは、グランドラインに接続されＬｏｗレベルに設定されている。
【０２３２】
ドライバＩＣ１２２の入力端子ＳＣＬ＿ＩＮｐ、ＳＣＬ＿ＩＮｎ、ＳＤＡ＿ＩＮｐ、ＳＤＡ＿ＩＮｎは、副中継基板６９のドライバＩＣ１２１の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０２３３】
ドライバＩＣ１２２は、出力端子ＯＵＴ００〜ＯＵＴ２３をグループ化しない第２モードに設定されている。ドライバＩＣ１２２の出力端子ＯＵＴ００〜ＯＵＴ２０は、サイド右ＬＥＤ基板９１に接続されている。
【０２３４】
サイド右ＬＥＤ基板９１には、ＬＥＤモジュール９１ａ、９１ｂ、９１ｃ、９１ｄ、９１ｅ、９１ｆ、９１ｇ、９１ｈ、９１ｉ、９１ｊ、９１ｋ、９１ｍ、９１ｎ、９１ｐが設けられている。
【０２３５】
ＬＥＤモジュール９１ａ及びＬＥＤモジュール９１ｂは、赤色（Ｒ）ＬＥＤ、緑色（Ｇ）ＬＥＤ、青色（Ｂ）ＬＥＤを有するフルカラーＬＥＤである。ＬＥＤモジュール９１ａの各ＬＥＤは、アノードがＬＥＤモジュール９１ｂの各ＬＥＤのカソードに接続され、カソードがドライバＩＣ１２２の各出力端子ＯＵＴ００〜ＯＵＴ０２に接続されている。
【０２３６】
ＬＥＤモジュール９１ｂの各ＬＥＤのアノードには、副中継基板６９から供給された１２Ｖの駆動電圧が供給されている。ＬＥＤモジュール９１ａの各ＬＥＤと、ＬＥＤモジュール９１ｂの各ＬＥＤとは、ドライバＩＣ１２２の出力端子ＯＵＴ００〜ＯＵＴ０２から出力された各駆動信号のデューティ比に応じて発光又は消灯する。
【０２３７】
ＬＥＤモジュール９１ｃ及びＬＥＤモジュール９１ｄは、赤色（Ｒ）ＬＥＤ、緑色（Ｇ）ＬＥＤ、青色（Ｂ）ＬＥＤを有するフルカラーＬＥＤである。ＬＥＤモジュール９１ｃの各ＬＥＤは、アノードがＬＥＤモジュール９１ｄの各ＬＥＤのカソードに接続され、カソードがドライバＩＣ１２２の各出力端子ＯＵＴ０３〜ＯＵＴ０５に接続されている。
【０２３８】
ＬＥＤモジュール９１ｄの各ＬＥＤのアノードには、副中継基板６９から供給された１２Ｖの駆動電圧が供給されている。ＬＥＤモジュール９１ｃの各ＬＥＤと、ＬＥＤモジュール９１ｄの各ＬＥＤとは、ドライバＩＣ１２２の出力端子ＯＵＴ０３〜ＯＵＴ０５から出力された各駆動信号のデューティ比に応じて発光又は消灯する。
【０２３９】
ＬＥＤモジュール９１ｅ及びＬＥＤモジュール９１ｆは、赤色（Ｒ）ＬＥＤ、緑色（Ｇ）ＬＥＤ、青色（Ｂ）ＬＥＤを有するフルカラーＬＥＤである。ＬＥＤモジュール９１ｅの各ＬＥＤは、アノードがＬＥＤモジュール９１ｆの各ＬＥＤのカソードに接続され、カソードがドライバＩＣ１２２の各出力端子ＯＵＴ０６〜ＯＵＴ０８に接続されている。
【０２４０】
ＬＥＤモジュール９１ｆの各ＬＥＤのアノードには、副中継基板６９から供給された１２Ｖの駆動電圧が供給されている。ＬＥＤモジュール９１ｅの各ＬＥＤと、ＬＥＤモジュール９１ｆの各ＬＥＤとは、ドライバＩＣ１２２の出力端子ＯＵＴ０６〜ＯＵＴ０８から出力された各駆動信号のデューティ比に応じて発光又は消灯する。
【０２４１】
ＬＥＤモジュール９１ｇ及びＬＥＤモジュール９１ｈは、赤色（Ｒ）ＬＥＤ、緑色（Ｇ）ＬＥＤ、青色（Ｂ）ＬＥＤを有するフルカラーＬＥＤである。ＬＥＤモジュール９１ｇの各ＬＥＤは、アノードがＬＥＤモジュール９１ｈの各ＬＥＤのカソードに接続され、カソードがドライバＩＣ１２２の各出力端子ＯＵＴ０９〜ＯＵＴ１１に接続されている。
【０２４２】
ＬＥＤモジュール９１ｈの各ＬＥＤのアノードには、副中継基板６９から供給された１２Ｖの駆動電圧が供給されている。ＬＥＤモジュール９１ｇの各ＬＥＤと、ＬＥＤモジュール９１ｈの各ＬＥＤとは、ドライバＩＣ１２２の出力端子ＯＵＴ０９〜ＯＵＴ１１から出力された各駆動信号のデューティ比に応じて発光又は消灯する。
【０２４３】
ＬＥＤモジュール９１ｉ及びＬＥＤモジュール９１ｊは、赤色（Ｒ）ＬＥＤ、緑色（Ｇ）ＬＥＤ、青色（Ｂ）ＬＥＤを有するフルカラーＬＥＤである。ＬＥＤモジュール９１ｉの各ＬＥＤは、アノードがＬＥＤモジュール９１ｊの各ＬＥＤのカソードに接続され、カソードがドライバＩＣ１２２の各出力端子ＯＵＴ１２〜ＯＵＴ１４に接続されている。
【０２４４】
ＬＥＤモジュール９１ｊの各ＬＥＤのアノードには、副中継基板６９から供給された１２Ｖの駆動電圧が供給されている。ＬＥＤモジュール９１ｉの各ＬＥＤと、ＬＥＤモジュール９１ｊの各ＬＥＤとは、ドライバＩＣ１２２の出力端子ＯＵＴ１２〜ＯＵＴ１４から出力された各駆動信号のデューティ比に応じて発光又は消灯する。
【０２４５】
ＬＥＤモジュール９１ｋ及びＬＥＤモジュール９１ｍは、赤色（Ｒ）ＬＥＤ、緑色（Ｇ）ＬＥＤ、青色（Ｂ）ＬＥＤを有するフルカラーＬＥＤである。ＬＥＤモジュール９１ｋの各ＬＥＤは、アノードがＬＥＤモジュール９１ｍの各ＬＥＤのカソードに接続され、カソードがドライバＩＣ１２２の各出力端子ＯＵＴ１５〜ＯＵＴ１７に接続されている。
【０２４６】
ＬＥＤモジュール９１ｍの各ＬＥＤのアノードには、副中継基板６９から供給された１２Ｖの駆動電圧が供給されている。ＬＥＤモジュール９１ｋの各ＬＥＤと、ＬＥＤモジュール９１ｍの各ＬＥＤとは、ドライバＩＣ１２２の出力端子ＯＵＴ１５〜ＯＵＴ１７から出力された各駆動信号のデューティ比に応じて発光又は消灯する。
【０２４７】
ＬＥＤモジュール９１ｎ及びＬＥＤモジュール９１ｐは、赤色（Ｒ）ＬＥＤ、緑色（Ｇ）ＬＥＤ、青色（Ｂ）ＬＥＤを有するフルカラーＬＥＤである。ＬＥＤモジュール９１ｎの各ＬＥＤは、アノードがＬＥＤモジュール９１ｐの各ＬＥＤのカソードに接続され、カソードがドライバＩＣ１２２の各出力端子ＯＵＴ１８〜ＯＵＴ２０に接続されている。
【０２４８】
ＬＥＤモジュール９１ｐの各ＬＥＤのアノードには、副中継基板６９から供給された１２Ｖの駆動電圧が供給されている。ＬＥＤモジュール９１ｎの各ＬＥＤと、ＬＥＤモジュール９１ｐの各ＬＥＤとは、ドライバＩＣ１２２の出力端子ＯＵＴ１８〜ＯＵＴ２０から出力された各駆動信号のデューティ比に応じて発光又は消灯する。
【０２４９】
トップ中央ＬＥＤ基板９０は、前述したように、ドライバアドレスとして１１Ｈが設定されたドライバＩＣ１２３を有する。ドライバＩＣ１２３は、図１３を参照して説明したドライバＩＣ１２７と同一に構成されているため、詳細な説明を省略する。
【０２５０】
ドライバＩＣ１２３は、アドレス設定端子Ａ０〜Ａ５によってドライバアドレスとして１１Ｈが設定されている。したがって、ドライバＩＣ１２３は、スレーブドライバとして機能する。ドライバＩＣ１２３には、ドライバＩＣ１２２から２線式シリアルＬＶＤＳで駆動データが入力されるため、入力設定端子ＭＯＤＥは、グランドラインに接続されＬｏｗレベルに設定されている。
【０２５１】
ドライバＩＣ１２３の入力端子ＳＣＬ＿ＩＮｐ、ＳＣＬ＿ＩＮｎ、ＳＤＡ＿ＩＮｐ、ＳＤＡ＿ＩＮｎは、ドライバＩＣ１２２の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０２５２】
ドライバＩＣ１２３は、出力端子ＯＵＴ００〜ＯＵＴ２３をグループ化する第１モードに設定されている。トップ中央ＬＥＤ基板９０には、ＬＥＤモジュール１２３ａ、１２３ｂ、１２３ｃ、１２３ｄが設けられている。
【０２５３】
ＬＥＤモジュール１２３ａ及びＬＥＤモジュール１２３ｂは、赤色（Ｒ）ＬＥＤ、緑色（Ｇ）ＬＥＤ、青色（Ｂ）ＬＥＤを有するフルカラーＬＥＤである。ＬＥＤモジュール１２３ａの各ＬＥＤは、アノードがＬＥＤモジュール１２３ｂの各ＬＥＤのカソードに接続され、カソードがドライバＩＣ１２３の出力端子の各グループ０〜２（すなわち、出力端子ＯＵＴ００〜ＯＵＴ０２のグループ、出力端子ＯＵＴ０３〜ＯＵＴ０５のグループ、出力端子ＯＵＴ０６〜ＯＵＴ０８のグループ）に接続されている。
【０２５４】
ＬＥＤモジュール１２３ｂの各ＬＥＤのアノードには、副中継基板６９から供給された１２Ｖの駆動電圧が供給されている。ＬＥＤモジュール１２３ａの各ＬＥＤと、ＬＥＤモジュール１２３ｂの各ＬＥＤとは、ドライバＩＣ１２３の出力端子の各グループ０〜２から出力された各駆動信号のデューティ比に応じて発光又は消灯する。
【０２５５】
ＬＥＤモジュール１２３ｃ及びＬＥＤモジュール１２３ｄは、赤色（Ｒ）ＬＥＤ、緑色（Ｇ）ＬＥＤ、青色（Ｂ）ＬＥＤを有するフルカラーＬＥＤである。ＬＥＤモジュール１２３ｃの各ＬＥＤは、アノードがＬＥＤモジュール１２３ｄの各ＬＥＤのカソードに接続され、カソードがドライバＩＣ１２３の出力端子の各グループ３〜５（すなわち、出力端子ＯＵＴ０９〜ＯＵＴ１１のグループ、出力端子ＯＵＴ１２〜ＯＵＴ１４のグループ、出力端子ＯＵＴ１５〜ＯＵＴ１７のグループ）に接続されている。
【０２５６】
ＬＥＤモジュール１２３ｄの各ＬＥＤのアノードには、副中継基板６９から供給された１２Ｖの駆動電圧が供給されている。ＬＥＤモジュール１２３ｃの各ＬＥＤと、ＬＥＤモジュール１２３ｄの各ＬＥＤとは、ドライバＩＣ１２３の出力端子の各グループ３〜５から出力された各駆動信号のデューティ比に応じて発光又は消灯する。
【０２５７】
＜サイド左ＬＥＤ基板＞
図１７において、サイド左ＬＥＤ基板９２は、前述したように、ドライバアドレスとして１４Ｈが設定されたドライバＩＣ１２６を有する。ドライバＩＣ１２６は、図１３を参照して説明したドライバＩＣ１２７と同一に構成されているため、詳細な説明を省略する。
【０２５８】
ドライバＩＣ１２６は、アドレス設定端子Ａ０〜Ａ５によってドライバアドレスとして１４Ｈが設定されている。したがって、ドライバＩＣ１２６は、スレーブドライバとして機能する。ドライバＩＣ１２６には、上部中継基板８１のドライバＩＣ１２２から２線式シリアルＬＶＤＳで駆動データが入力されるため、入力設定端子ＭＯＤＥは、グランドラインに接続されＬｏｗレベルに設定されている。
【０２５９】
ドライバＩＣ１２６の入力端子ＳＣＬ＿ＩＮｐ、ＳＣＬ＿ＩＮｎ、ＳＤＡ＿ＩＮｐ、ＳＤＡ＿ＩＮｎは、上部中継基板８１のドライバＩＣ１２２の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０２６０】
ドライバＩＣ１２６は、出力端子ＯＵＴ００〜ＯＵＴ２３をグループ化しない第２モードに設定されている。サイド左ＬＥＤ基板９２には、ＬＥＤモジュール１２６ａ、１２６ｂ、１２６ｃ、１２６ｄ、１２６ｅ、１２６ｆ、１２６ｇ、１２６ｈ、１２６ｉ、１２６ｊ、１２６ｋ、１２６ｍ、１２６ｎ、１２６ｐが設けられている。
【０２６１】
ＬＥＤモジュール１２６ａ及びＬＥＤモジュール１２６ｂは、赤色（Ｒ）ＬＥＤ、緑色（Ｇ）ＬＥＤ、青色（Ｂ）ＬＥＤを有するフルカラーＬＥＤである。ＬＥＤモジュール１２６ａの各ＬＥＤは、アノードがＬＥＤモジュール１２６ｂの各ＬＥＤのカソードに接続され、カソードがドライバＩＣ１２６の各出力端子ＯＵＴ００〜ＯＵＴ０２に接続されている。
【０２６２】
ＬＥＤモジュール１２６ｂの各ＬＥＤのアノードには、副中継基板６９から供給された１２Ｖの駆動電圧が供給されている。ＬＥＤモジュール１２６ａの各ＬＥＤと、ＬＥＤモジュール１２６ｂの各ＬＥＤとは、ドライバＩＣ１２６の出力端子ＯＵＴ００〜ＯＵＴ０２から出力された各駆動信号のデューティ比に応じて発光又は消灯する。
【０２６３】
ＬＥＤモジュール１２６ｃ及びＬＥＤモジュール１２６ｄは、赤色（Ｒ）ＬＥＤ、緑色（Ｇ）ＬＥＤ、青色（Ｂ）ＬＥＤを有するフルカラーＬＥＤである。ＬＥＤモジュール１２６ｃの各ＬＥＤは、アノードがＬＥＤモジュール１２６ｄの各ＬＥＤのカソードに接続され、カソードがドライバＩＣ１２６の各出力端子ＯＵＴ０３〜ＯＵＴ０５に接続されている。
【０２６４】
ＬＥＤモジュール１２６ｄの各ＬＥＤのアノードには、副中継基板６９から供給された１２Ｖの駆動電圧が供給されている。ＬＥＤモジュール１２６ｃの各ＬＥＤと、ＬＥＤモジュール１２６ｄの各ＬＥＤとは、ドライバＩＣ１２６の出力端子ＯＵＴ０３〜ＯＵＴ０５から出力された各駆動信号のデューティ比に応じて発光又は消灯する。
【０２６５】
ＬＥＤモジュール１２６ｅ及びＬＥＤモジュール１２６ｆは、赤色（Ｒ）ＬＥＤ、緑色（Ｇ）ＬＥＤ、青色（Ｂ）ＬＥＤを有するフルカラーＬＥＤである。ＬＥＤモジュール１２６ｅの各ＬＥＤは、アノードがＬＥＤモジュール１２６ｆの各ＬＥＤのカソードに接続され、カソードがドライバＩＣ１２６の各出力端子ＯＵＴ０６〜ＯＵＴ０８に接続されている。
【０２６６】
ＬＥＤモジュール１２６ｆの各ＬＥＤのアノードには、副中継基板６９から供給された１２Ｖの駆動電圧が供給されている。ＬＥＤモジュール１２６ｅの各ＬＥＤと、ＬＥＤモジュール１２６ｆの各ＬＥＤとは、ドライバＩＣ１２６の出力端子ＯＵＴ０６〜ＯＵＴ０８から出力された各駆動信号のデューティ比に応じて発光又は消灯する。
【０２６７】
ＬＥＤモジュール１２６ｇ及びＬＥＤモジュール１２６ｈは、赤色（Ｒ）ＬＥＤ、緑色（Ｇ）ＬＥＤ、青色（Ｂ）ＬＥＤを有するフルカラーＬＥＤである。ＬＥＤモジュール１２６ｇの各ＬＥＤは、アノードがＬＥＤモジュール１２６ｈの各ＬＥＤのカソードに接続され、カソードがドライバＩＣ１２６の各出力端子ＯＵＴ０９〜ＯＵＴ１１に接続されている。
【０２６８】
ＬＥＤモジュール１２６ｈの各ＬＥＤのアノードには、副中継基板６９から供給された１２Ｖの駆動電圧が供給されている。ＬＥＤモジュール１２６ｇの各ＬＥＤと、ＬＥＤモジュール１２６ｈの各ＬＥＤとは、ドライバＩＣ１２６の出力端子ＯＵＴ０９〜ＯＵＴ１１から出力された各駆動信号のデューティ比に応じて発光又は消灯する。
【０２６９】
ＬＥＤモジュール１２６ｉ及びＬＥＤモジュール１２６ｊは、赤色（Ｒ）ＬＥＤ、緑色（Ｇ）ＬＥＤ、青色（Ｂ）ＬＥＤを有するフルカラーＬＥＤである。ＬＥＤモジュール１２６ｉの各ＬＥＤは、アノードがＬＥＤモジュール１２６ｊの各ＬＥＤのカソードに接続され、カソードがドライバＩＣ１２６の各出力端子ＯＵＴ１２〜ＯＵＴ１４に接続されている。
【０２７０】
ＬＥＤモジュール１２６ｊの各ＬＥＤのアノードには、副中継基板６９から供給された１２Ｖの駆動電圧が供給されている。ＬＥＤモジュール１２６ｉの各ＬＥＤと、ＬＥＤモジュール１２６ｊの各ＬＥＤとは、ドライバＩＣ１２６の出力端子ＯＵＴ１２〜ＯＵＴ１４から出力された各駆動信号のデューティ比に応じて発光又は消灯する。
【０２７１】
ＬＥＤモジュール１２６ｋ及びＬＥＤモジュール１２６ｍは、赤色（Ｒ）ＬＥＤ、緑色（Ｇ）ＬＥＤ、青色（Ｂ）ＬＥＤを有するフルカラーＬＥＤである。ＬＥＤモジュール１２６ｋの各ＬＥＤは、アノードがＬＥＤモジュール１２６ｍの各ＬＥＤのカソードに接続され、カソードがドライバＩＣ１２６の各出力端子ＯＵＴ１５〜ＯＵＴ１７に接続されている。
【０２７２】
ＬＥＤモジュール１２６ｍの各ＬＥＤのアノードには、副中継基板６９から供給された１２Ｖの駆動電圧が供給されている。ＬＥＤモジュール１２６ｋの各ＬＥＤと、ＬＥＤモジュール１２６ｍの各ＬＥＤとは、ドライバＩＣ１２６の出力端子ＯＵＴ１５〜ＯＵＴ１７から出力された各駆動信号のデューティ比に応じて発光又は消灯する。
【０２７３】
ＬＥＤモジュール１２６ｎ及びＬＥＤモジュール１２６ｐは、赤色（Ｒ）ＬＥＤ、緑色（Ｇ）ＬＥＤ、青色（Ｂ）ＬＥＤを有するフルカラーＬＥＤである。ＬＥＤモジュール１２６ｎの各ＬＥＤは、アノードがＬＥＤモジュール１２６ｐの各ＬＥＤのカソードに接続され、カソードがドライバＩＣ１２６の各出力端子ＯＵＴ１８〜ＯＵＴ２０に接続されている。
【０２７４】
ＬＥＤモジュール１２６ｐの各ＬＥＤのアノードには、副中継基板６９から供給された１２Ｖの駆動電圧が供給されている。ＬＥＤモジュール１２６ｎの各ＬＥＤと、ＬＥＤモジュール１２６ｐの各ＬＥＤとは、ドライバＩＣ１２６の出力端子ＯＵＴ１８〜ＯＵＴ２０から出力された各駆動信号のデューティ比に応じて発光又は消灯する。
【０２７５】
＜トップサイド左ＬＥＤ基板＞
図１８において、トップサイド左ＬＥＤ基板９４は、前述したように、ドライバアドレスとして１２Ｈが設定されたドライバＩＣ１２４を有する。ドライバＩＣ１２４は、図１３を参照して説明したドライバＩＣ１２７と同一に構成されているため、詳細な説明を省略する。
【０２７６】
ドライバＩＣ１２４は、アドレス設定端子Ａ０〜Ａ５によってドライバアドレスとして１２Ｈが設定されている。したがって、ドライバＩＣ１２４は、スレーブドライバとして機能する。ドライバＩＣ１２４には、トップ中央ＬＥＤ基板９０のドライバＩＣ１２３から２線式シリアルＬＶＤＳで駆動データが入力されるため、入力設定端子ＭＯＤＥは、グランドラインに接続されＬｏｗレベルに設定されている。
【０２７７】
ドライバＩＣ１２４の入力端子ＳＣＬ＿ＩＮｐ、ＳＣＬ＿ＩＮｎ、ＳＤＡ＿ＩＮｐ、ＳＤＡ＿ＩＮｎは、トップ中央ＬＥＤ基板９０のドライバＩＣ１２３の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０２７８】
ドライバＩＣ１２４は、出力端子ＯＵＴ００〜ＯＵＴ２３をグループ化する第１モードに設定されている。トップサイド左ＬＥＤ基板９４には、ＬＥＤモジュール１２４ａ、１２４ｂ、１２４ｃ、１２４ｄが設けられている。
【０２７９】
ＬＥＤモジュール１２４ａ及びＬＥＤモジュール１２４ｂは、赤色（Ｒ）ＬＥＤ、緑色（Ｇ）ＬＥＤ、青色（Ｂ）ＬＥＤを有するフルカラーＬＥＤである。ＬＥＤモジュール１２４ａの各ＬＥＤは、アノードがＬＥＤモジュール１２４ｂの各ＬＥＤのカソードに接続され、カソードがドライバＩＣ１２４の出力端子の各グループ０〜２（すなわち、出力端子ＯＵＴ００〜ＯＵＴ０２のグループ、出力端子ＯＵＴ０３〜ＯＵＴ０５のグループ、出力端子ＯＵＴ０６〜ＯＵＴ０８のグループ）に接続されている。
【０２８０】
ＬＥＤモジュール１２４ｂの各ＬＥＤのアノードには、副中継基板６９から供給された１２Ｖの駆動電圧が供給されている。ＬＥＤモジュール１２４ａの各ＬＥＤと、ＬＥＤモジュール１２４ｂの各ＬＥＤとは、ドライバＩＣ１２４の出力端子の各グループ０〜２から出力された各駆動信号のデューティ比に応じて発光又は消灯する。
【０２８１】
ＬＥＤモジュール１２４ｃ及びＬＥＤモジュール１２４ｄは、赤色（Ｒ）ＬＥＤ、緑色（Ｇ）ＬＥＤ、青色（Ｂ）ＬＥＤを有するフルカラーＬＥＤである。ＬＥＤモジュール１２４ｃの各ＬＥＤは、アノードがＬＥＤモジュール１２４ｄの各ＬＥＤのカソードに接続され、カソードがドライバＩＣ１２４の出力端子の各グループ３〜５（すなわち、出力端子ＯＵＴ０９〜ＯＵＴ１１のグループ、出力端子ＯＵＴ１２〜ＯＵＴ１４のグループ、出力端子ＯＵＴ１５〜ＯＵＴ１７のグループ）に接続されている。
【０２８２】
ＬＥＤモジュール１２４ｄの各ＬＥＤのアノードには、副中継基板６９から供給された１２Ｖの駆動電圧が供給されている。ＬＥＤモジュール１２４ｃの各ＬＥＤと、ＬＥＤモジュール１２４ｄの各ＬＥＤとは、ドライバＩＣ１２４の出力端子の各グループ３〜５から出力された各駆動信号のデューティ比に応じて発光又は消灯する。
【０２８３】
＜トップサイド右ＬＥＤ基板＞
図１９において、トップサイド右ＬＥＤ基板９３は、前述したように、ドライバアドレスとして１３Ｈが設定されたドライバＩＣ１２５を有する。ドライバＩＣ１２５は、図１３を参照して説明したドライバＩＣ１２７と同一に構成されているため、詳細な説明を省略する。
【０２８４】
ドライバＩＣ１２５は、アドレス設定端子Ａ０〜Ａ５によってドライバアドレスとして１３Ｈが設定されている。したがって、ドライバＩＣ１２５は、スレーブドライバとして機能する。ドライバＩＣ１２５には、トップ中央ＬＥＤ基板９０のドライバＩＣ１２３から２線式シリアルＬＶＤＳで駆動データが入力されるため、入力設定端子ＭＯＤＥは、グランドラインに接続されＬｏｗレベルに設定されている。
【０２８５】
ドライバＩＣ１２５の入力端子ＳＣＬ＿ＩＮｐ、ＳＣＬ＿ＩＮｎ、ＳＤＡ＿ＩＮｐ、ＳＤＡ＿ＩＮｎは、トップ中央ＬＥＤ基板９０のドライバＩＣ１２３の中継出力端子ＳＣＬ＿ＯＵＴｐ、ＳＣＬ＿ＯＵＴｎ、ＳＤＡ＿ＯＵＴｐ、ＳＤＡ＿ＯＵＴｎにそれぞれ接続されている。
【０２８６】
ドライバＩＣ１２５は、出力端子ＯＵＴ００〜ＯＵＴ２３をグループ化する第１モードに設定されている。トップサイド右ＬＥＤ基板９３には、ＬＥＤモジュール１２５ａ、１２５ｂ、１２５ｃ、１２５ｄが設けられている。
【０２８７】
ＬＥＤモジュール１２５ａ及びＬＥＤモジュール１２５ｂは、赤色（Ｒ）ＬＥＤ、緑色（Ｇ）ＬＥＤ、青色（Ｂ）ＬＥＤを有するフルカラーＬＥＤである。ＬＥＤモジュール１２５ａの各ＬＥＤは、アノードがＬＥＤモジュール１２５ｂの各ＬＥＤのカソードに接続され、カソードがドライバＩＣ１２５の出力端子の各グループ０〜２（すなわち、出力端子ＯＵＴ００〜ＯＵＴ０２のグループ、出力端子ＯＵＴ０３〜ＯＵＴ０５のグループ、出力端子ＯＵＴ０６〜ＯＵＴ０８のグループ）に接続されている。
【０２８８】
ＬＥＤモジュール１２５ｂの各ＬＥＤのアノードには、副中継基板６９から供給された１２Ｖの駆動電圧が供給されている。ＬＥＤモジュール１２５ａの各ＬＥＤと、ＬＥＤモジュール１２５ｂの各ＬＥＤとは、ドライバＩＣ１２５の出力端子の各グループ０〜２から出力された各駆動信号のデューティ比に応じて発光又は消灯する。
【０２８９】
ＬＥＤモジュール１２５ｃ及びＬＥＤモジュール１２５ｄは、赤色（Ｒ）ＬＥＤ、緑色（Ｇ）ＬＥＤ、青色（Ｂ）ＬＥＤを有するフルカラーＬＥＤである。ＬＥＤモジュール１２５ｃの各ＬＥＤは、アノードがＬＥＤモジュール１２５ｄの各ＬＥＤのカソードに接続され、カソードがドライバＩＣ１２５の出力端子の各グループ３〜５（すなわち、出力端子ＯＵＴ０９〜ＯＵＴ１１のグループ、出力端子ＯＵＴ１２〜ＯＵＴ１４のグループ、出力端子ＯＵＴ１５〜ＯＵＴ１７のグループ）に接続されている。
【０２９０】
ＬＥＤモジュール１２５ｄの各ＬＥＤのアノードには、副中継基板６９から供給された１２Ｖの駆動電圧が供給されている。ＬＥＤモジュール１２５ｃの各ＬＥＤと、ＬＥＤモジュール１２５ｄの各ＬＥＤとは、ドライバＩＣ１２５の出力端子の各グループ３〜５から出力された各駆動信号のデューティ比に応じて発光又は消灯する。
【０２９１】
なお、本実施の形態において、マスタドライバ、及び、スレーブドライバの出力端子ＯＵＴ００〜ＯＵＴ２３に接続されている各ＬＥＤは全て、ＬＥＤのちらつきの少ない、スタティック点灯方式を採用しているが、結線数、及びハーネスの本数を少なくするために、ダイナミック点灯方式を採用してＬＥＤの駆動制御を行ってもよい。
【０２９２】
＜サブＣＰＵから各ドライバに向けて出力されるデータの具体例＞
以下、サブＣＰＵ１２０から各ドライバに向けて出力されるデータの具体例について、図２０〜図２３を参照して説明する。
【０２９３】
前述したように、ドライバＩＣ１２１〜１３１の各ドライバには、ドライバアドレス（１バイト目）、レジスタアドレス（２バイト目）及びレジスタ値（３バイト目以降）を含むデータがシリアルに入力される。
【０２９４】
図２０は、サイド左ＬＥＤ基板９２のドライバＩＣ１２６に接続されたＬＥＤモジュール１２６ａ、１２６ｂ、１２６ｃ、１２６ｄ、１２６ｅ、１２６ｆ、１２６ｇ、１２６ｈ、１２６ｉ、１２６ｊ、１２６ｋ、１２６ｍ、１２６ｎ、１２６ｐ（図１７参照）を制御するデータの第１の例を示している。
【０２９５】
図２０において、データの１バイト目には、ドライバＩＣ１２６のドライバアドレス１４Ｈが設定されている。データの２バイト目には、レジスタアドレスとして００Ｈが設定されている。
【０２９６】
したがって、データの３バイト目には、レジスタアドレス００Ｈのレジスタ（以下、レジスタアドレスで特定されるレジスタは、「レジスタ００Ｈ」などと記載する）のレジスタ値、データの４バイト目以降には、レジスタ０１Ｈ以降のレジスタ値がそれぞれ設定されている。
【０２９７】
このデータによって、レジスタ００Ｈには、Ｂ０Ｈが設定される。したがって、内部設定用のレジスタ００Ｈの所定のビット（７ビット目、ＢＩＴ６）が１に設定されるため、ドライバＩＣ１２６の全ての出力端子ＯＵＴ００〜ＯＵＴ２３がイネーブル状態となる。
【０２９８】
また、内部設定用のレジスタ００Ｈの所定のビット（８ビット目、ＢＩＴ７）が０に設定されるため、ドライバＩＣ１２６は、出力端子ＯＵＴ００〜ＯＵＴ２３をグループ化しない第２モードに設定される。
【０２９９】
また、このデータによって、レジスタ０１Ｈ〜０３Ｈ、０７Ｈ〜０９Ｈ、０ＤＨ〜０ＦＨ及び１３Ｈ〜１５Ｈが００Ｈに設定され、レジスタ０４Ｈ〜０６Ｈ、０ＡＨ〜０ＣＨ及び１０Ｈ〜１２ＨがＦＦＨに設定される。
【０３００】
すなわち、このデータによって、ドライバＩＣ１２６の出力端子ＯＵＴ００〜ＯＵＴ０２、ＯＵＴ０６〜ＯＵＴ０８、ＯＵＴ１２〜ＯＵＴ１４及びＯＵＴ１８〜ＯＵＴ２０からデューティ比が０％の駆動信号が出力（駆動信号の出力を停止）され、ドライバＩＣ１２６の出力端子ＯＵＴ０３〜ＯＵＴ０５、ＯＵＴ０９〜ＯＵＴ１１及びＯＵＴ１５〜ＯＵＴ１７からデューティ比が１００％の駆動信号が出力される。
【０３０１】
結果として、ＬＥＤモジュール１２６ａ、１２６ｂ、１２６ｅ、１２６ｆ、１２６ｉ、１２６ｊ、１２６ｎ、１２６ｐが消灯し、ＬＥＤモジュール１２６ｃ、１２６ｄ、１２６ｇ、１２６ｈ、１２６ｋ、１２６ｍが最も高い輝度で点灯する。
【０３０２】
図２１は、サイド左ＬＥＤ基板９２のドライバＩＣ１２６に接続されたＬＥＤモジュール１２６ａ、１２６ｂ、１２６ｃ、１２６ｄ、１２６ｅ、１２６ｆ、１２６ｇ、１２６ｈ、１２６ｉ、１２６ｊ、１２６ｋ、１２６ｍ、１２６ｎ、１２６ｐ（図１７参照）を制御するデータの第２の例を示している。
【０３０３】
図２１において、データの１バイト目には、ドライバＩＣ１２６のドライバアドレス１４Ｈが設定されている。データの２バイト目には、レジスタアドレスとして００Ｈが設定されている。したがって、データの３バイト目には、レジスタ００Ｈのレジスタ値、データの４バイト目以降には、レジスタ０１Ｈ以降のレジスタ値がそれぞれ設定されている。
【０３０４】
このデータによって、レジスタ００Ｈには、Ｂ０Ｈが設定される。したがって、内部設定用のレジスタ００Ｈの所定のビット（７ビット目、ＢＩＴ６）が１に設定されるため、ドライバＩＣ１２６の全ての出力端子ＯＵＴ００〜ＯＵＴ２３がイネーブル状態となる。
【０３０５】
また、内部設定用のレジスタ００Ｈの所定のビット（８ビット目、ＢＩＴ７）が０に設定されるため、ドライバＩＣ１２６は、出力端子ＯＵＴ００〜ＯＵＴ２３をグループ化しない第２モードに設定される。
【０３０６】
また、このデータによって、レジスタ０２Ｈ、０３Ｈ、０５Ｈ、０６Ｈ、０８Ｈ、０９Ｈ、０ＢＨ、０ＣＨ、０ＥＨ、０ＦＨ、１１Ｈ、１２Ｈ、１４Ｈ及び１５Ｈが００Ｈに設定され、レジスタ０１Ｈ、０４Ｈ、０７Ｈ、１０Ｈ、１３Ｈ、０ＡＨ、０ＤＨ、１０Ｈ及び１３ＨがＦＦＨに設定される。
【０３０７】
すなわち、このデータによって、ドライバＩＣ１２６の出力端子ＯＵＴ０１、ＯＵＴ０２、ＯＵＴ０４、ＯＵＴ０５、ＯＵＴ０７、ＯＵＴ０８、ＯＵＴ１０、ＯＵＴ１１、ＯＵＴ１３、ＯＵＴ１４、ＯＵＴ１６、ＯＵＴ１７、ＯＵＴ１９及びＯＵＴ２０からデューティ比が０％の駆動信号が出力（駆動信号の出力を停止）され、ドライバＩＣ１２６の出力端子ＯＵＴ００、ＯＵＴ０３、ＯＵＴ０６、ＯＵＴ０９、ＯＵＴ１２、ＯＵＴ１５及びＯＵＴ１８からデューティ比が１００％の駆動信号が出力される。
【０３０８】
結果として、各ＬＥＤモジュール１２６ｂ、１２６ｄ、１２６ｆ、１２６ｈ、１２６ｊ、１２６ｍ、１２６ｐの緑色（Ｇ）ＬＥＤ及び青色（Ｂ）ＬＥＤと、これら各緑色（Ｇ）ＬＥＤ及び青色（Ｂ）ＬＥＤに接続された各ＬＥＤモジュール１２６ａ、１２６ｃ、１２６ｅ、１２６ｇ、１２６ｉ、１２６ｋ、１２６ｎの緑色（Ｇ）ＬＥＤ及び青色（Ｂ）ＬＥＤとが消灯する。
【０３０９】
また、各ＬＥＤモジュール１２６ｂ、１２６ｄ、１２６ｆ、１２６ｈ、１２６ｊ、１２６ｍ、１２６ｐの赤色（Ｒ）ＬＥＤと、これら各赤色（Ｒ）に接続された各ＬＥＤモジュール１２６ａ、１２６ｃ、１２６ｅ、１２６ｇ、１２６ｉ、１２６ｋ、１２６ｎの赤色（Ｒ）ＬＥＤとが最も高い輝度で点灯する。
【０３１０】
図２２は、サイド左ＬＥＤ基板９２のドライバＩＣ１２６に接続されたＬＥＤモジュール１２６ａ、１２６ｂ、１２６ｃ、１２６ｄ、１２６ｅ、１２６ｆ、１２６ｇ、１２６ｈ、１２６ｉ、１２６ｊ、１２６ｋ、１２６ｍ、１２６ｎ、１２６ｐ（図１７参照）を制御するデータの第３の例を示している。
【０３１１】
図２２において、データの１バイト目には、ドライバＩＣ１２６のドライバアドレス１４Ｈが設定されている。データの２バイト目には、レジスタアドレスとして１０Ｈが設定されている。したがって、データの３バイト目には、レジスタ１０Ｈのレジスタ値、データの４バイト目以降には、レジスタ１１Ｈ以降のレジスタ値がそれぞれ設定されている。
【０３１２】
また、このデータによって、レジスタ１０Ｈが００Ｈに設定され、レジスタ１１ＨがＦＦＨに設定され、レジスタ１２Ｈが００Ｈに設定される。内部設定用のレジスタ００Ｈを含む他のレジスタの値は、維持される。
【０３１３】
すなわち、このデータによって、ドライバＩＣ１２６の出力端子ＯＵＴ１５及びＯＵＴ１７からデューティ比が０％の駆動信号が出力（駆動信号がＯＦＦ状態と同じ状態）され、ドライバＩＣ１２６の出力端子ＯＵＴ１６からデューティ比が１００％の駆動信号が出力される。
【０３１４】
結果として、ＬＥＤモジュール１２６ｍの赤色（Ｒ）ＬＥＤ及び青色（Ｂ）ＬＥＤと、これら各赤色（Ｒ）及び青色（Ｂ）ＬＥＤに接続されたＬＥＤモジュール１２６ｋの赤色（Ｒ）ＬＥＤ及び青色（Ｂ）ＬＥＤとが消灯する。
【０３１５】
また、ＬＥＤモジュール１２６ｍの緑色（Ｒ）ＬＥＤと、この緑色（Ｒ）に接続されたＬＥＤモジュール１２６ｋの緑色（Ｒ）ＬＥＤとが最も高い輝度で点灯する。ＬＥＤモジュール１２６ｋ、１２６ｍ以外の他のＬＥＤモジュールの各ＬＥＤの点灯状態は、維持される。
【０３１６】
図２３は、サイド左ＬＥＤ基板９２のドライバＩＣ１２６に接続されたＬＥＤモジュール１２６ａ、１２６ｂ、１２６ｃ、１２６ｄ、１２６ｅ、１２６ｆ、１２６ｇ、１２６ｈ、１２６ｉ、１２６ｊ、１２６ｋ、１２６ｍ、１２６ｎ、１２６ｐ（図１７参照）を制御するデータの第４の例を示している。
【０３１７】
図２３において、データの１バイト目には、ドライバＩＣ１２６のドライバアドレス１４Ｈが設定されている。データの２バイト目には、レジスタアドレスとして００Ｈが設定されている。
【０３１８】
したがって、データの３バイト目には、レジスタ００Ｈのレジスタ値が設定されている。このデータによって、レジスタ００Ｈには、００Ｈが設定される。したがって、内部設定用のレジスタ００Ｈの所定のビット（７ビット目、ＢＩＴ６）が０に設定されるため、ドライバＩＣ１２６の全ての出力端子ＯＵＴ００〜ＯＵＴ２３がディスエーブル状態となる。
【０３１９】
このため、このデータによって、ドライバＩＣ１２６の全ての出力端子ＯＵＴ００〜ＯＵＴ２３は、ＯＦＦ状態（デューティ比が０％の駆動信号が出力された時と同じ状態）となり、ＬＥＤモジュール１２６ａ、１２６ｂ、１２６ｃ、１２６ｄ、１２６ｅ、１２６ｆ、１２６ｇ、１２６ｈ、１２６ｉ、１２６ｊ、１２６ｋ、１２６ｍ、１２６ｎ、１２６ｐの全てのＬＥＤは、消灯する。
【０３２０】
なお、本実施の形態において、サブＣＰＵ１２０から駆動データをマスタドライバに３線式シリアルで出力し、マスタドライバから駆動データをスレーブドライバに、スレーブドライバから駆動データを他のスレーブドライバに出力する例について説明したが、サブＣＰＵ１２０から駆動データをマスタドライバに２線シリアルＬＶＤＳを使用して出力してもよく、また、マスタドライバから駆動データをスレーブドライバに、スレーブドライバから駆動データを他のスレーブドライバに３線シリアルで出力してもよい。
【０３２１】
＜各種効果＞
以上に説明したように、本発明の実施の形態に係る遊技機１は、第２モードに設定された各ドライバＩＣ１２１〜１２２、１２６〜１３１から発せられるスイッチングノイズを低減させるために複数の出力端子ＯＵＴ００〜ＯＵＴ２３で順次、位相を異ならせて複数の出力端子ＯＵＴ００〜ＯＵＴ２３から駆動信号の出力を開始することにより、複数の出力端子ＯＵＴ００〜ＯＵＴ２３間で駆動信号が干渉することを防止するため、発光体としての各ＬＥＤの発光がちらつくことを防止することができる。
【０３２２】
また、本発明の実施の形態に係る遊技機１は、第１モードに設定された各ドライバＩＣ１２３〜１２５から発せられるスイッチングノイズを低減させるために複数の出力端子ＯＵＴ００〜ＯＵＴ２３のグループで順次、位相を異ならせて複数の出力端子ＯＵＴ００〜ＯＵＴ２３から駆動信号の出力を開始することにより、複数の出力端子ＯＵＴ００〜ＯＵＴ２３のグループ間で駆動信号が干渉することを防止するため、各ＬＥＤの発光がちらつくことを防止することができる。
【０３２３】
また、本発明の実施の形態に係る遊技機１は、各ドライバＩＣ１２１〜１３１の複数の出力端子ＯＵＴ００〜ＯＵＴ２３にそれぞれ接続された複数のＬＥＤを非発光（消灯）状態にする場合に、各ＬＥＤを非発光（消灯）状態にする駆動データによって各ドライバＩＣ１２１〜１３１を制御することなく、内部設定用のレジスタ（アドレス００Ｈ）の所定のビット（７ビット目、ＢＩＴ６）に対応する位置の値が０である駆動データによって各ドライバＩＣ１２１〜１３１を制御することができるため、サブＣＰＵ１２０による制御を簡素化することができる。
【０３２４】
また、本発明の実施の形態に係る遊技機１は、一般的なシリアル信号よりノイズに強い差動信号である２線式シリアルＬＶＤＳで駆動データを各ドライバＩＣ１２１〜１３１間で転送することによって、各ドライバＩＣ１２１〜１３１間で駆動データを伝送する回線にノイズが混入することを防止するため、駆動データが表す発光パターンと異なる発光パターンで各ＬＥＤが発光すること（いわゆる、誤動作）を防止することができる。
【０３２５】
また、本発明の実施の形態に係る遊技機１は、マスタドライバＩＣ１２１の駆動回路がオープンドレイン出力であるため、機能の拡張性を担保することができ、スレーブドライバＩＣ１２２〜１３１の駆動回路が定電流シンク出力であるため、消費電流を抑制することができる。
【０３２６】
また、本発明の実施の形態に係る遊技機１は、シングルエンド方式よりも、ノイズに強いデータポジティブ及びデータネガティブのペアラインで駆動データを各ドライバＩＣ１２１〜１３１間で転送し、ノイズに強いクロックポジティブ及びクロックネガティブのペアラインで駆動データの同期用クロックを各ドライバＩＣ１２１〜１３１間で転送するため、各ドライバＩＣ１２１〜１３１間で駆動データ及びクロックを伝送する各回線にノイズが混入することを防止するため、駆動データが表す発光パターンと異なる発光パターンで各ＬＥＤが発光することを防止することができる。
【０３２７】
また、本発明に係る遊技機は、各ドライバＩＣ１２１〜１３１が駆動データを片方向通信で出力するため、サブＣＰＵ１２０及び中継先のドライバにＡＣＫなどの応答信号を返信させるためにかかる負荷を削減することができる。
【０３２８】
また、本発明に係る遊技機は、全てのスレーブドライバＩＣ１２２〜１３１を初期化させる場合に、各スレーブドライバＩＣ１２２〜１３１を初期化させるデータによって各スレーブドライバＩＣ１２２〜１３１を制御することなく、マスタドライバＩＣ１２１の入力端子ＳＣＬ＿ＩＮｎ（チップセレクト入力）に２００ｎｓ以上のパルスを入力させることによって全てのスレーブドライバＩＣ１２２〜１３１を初期化することができるため、サブＣＰＵ１２０によるドライバ初期化時の制御を簡素化することができる。
【０３２９】
以上、本発明の実施の形態をパチスロ機に適用した場合について説明したが、本発明は、他の遊技機（例えば、パチンコ機やスロットマシン等）に適用することも可能である。
【０３３０】
［その他、本発明に係る遊技機の拡張性］
上記実施の形態のパチスロ（遊技機１）では、遊技者のメダルの投入操作（すなわち、手持ちのメダルをメダル投入口ＤＤ５に対して投入する操作、又は、クレジットされたメダルをＭＡＸベットボタンＤＤ８或いは１ベットボタンを操作して投入する操作）により遊技が開始され、遊技が終了したときにメダルの払い出しがある場合には、ホッパ装置ＨＰを駆動してメダル払出口ＤＤ１４からメダルが払い出され、又は、クレジットされる形態について説明したが、本発明はこれに限定されるものではない。
【０３３１】
例えば、遊技者によって遊技に必要な遊技媒体が投入され、それに基づいて遊技が行われ、その遊技の結果に基づいて特典が付与される（例えば、メダルが払い出される）形態の全てに対して、本発明を適用することができる。すなわち、物理的な遊技者の動作によって遊技媒体が投入され（掛けられ）、遊技媒体が払い出される形態のみならず、主制御回路（主制御基板７１）自体が、遊技者が保有する遊技媒体を電磁的に管理し、メダルレスで遊技を可能にする形態であってもよい。なお、この場合、遊技者が保有する遊技媒体を電磁的に管理するのは、主制御回路（主制御基板７１）に装着され（接続され）且つ遊技媒体を管理する遊技媒体管理装置であってもよい。
【０３３２】
この場合、遊技媒体管理装置は、ＲＯＭ及びＲＷＭ（あるいは、ＲＡＭ）を有し、遊技機に設けられる装置であって、図示しない外部の遊技媒体取扱装置と所定のインターフェースを介して双方向通信可能に接続されるものであり、遊技媒体の貸出動作（すなわち、遊技者が遊技媒体の投入操作を行う上で、必要な遊技媒体を提供する動作）或いは遊技媒体の払い出しに係る役に入賞（当該役が成立）した場合における遊技媒体の払出動作（すなわち、遊技者に対して遊技媒体の払い出しを行う上で、必要な遊技媒体を獲得させる動作）、又は、遊技の用に供する遊技媒体を電磁的に記録する動作を行い得るものとすればよい。また、遊技媒体管理装置は、実際の遊技媒体数の管理のみならず、例えば、その遊技媒体数の管理結果に基づいて、保有する遊技媒体数を表示する保有遊技媒体数表示装置（不図示）をパチスロ（遊技機１）の前面に設け、この保有遊技媒体数表示装置に表示される遊技媒体数を管理するものであってもよい。すなわち、遊技媒体管理装置は、遊技者が遊技の用に供することができる遊技媒体の総数を電磁的方法により記録し、表示することができるものとすればよい。
【０３３３】
また、この場合、遊技媒体管理装置は、遊技者が、記録された遊技媒体数を示す信号を、外部の遊技媒体取扱装置に対して自由に送信させることができる性能（機能）を有することが望ましい。また、遊技媒体管理装置は、遊技者が直接操作する場合以外の場合には、記録された遊技媒体数を減ずることができない性能を有することが望ましい。また、遊技媒体管理装置と外部の遊技媒体取扱装置との間に外部接続端子板（不図示）が設けられる場合には、遊技媒体管理装置は、その外部接続端子板を介してでなければ、遊技者が、記録された遊技媒体数を示す信号を送信できない性能を有することが望ましい。
【０３３４】
遊技機には、上記の他、遊技者が操作可能な貸出操作手段、返却（精算）操作手段、外部接続端子板が設けられ、遊技媒体取扱装置には、紙幣等の有価価値の投入口、記録媒体（例えばＩＣカード）の挿入口、携帯端末から電子マネー等の入金を行うための非接触通信アンテナ等、その他貸出操作手段、返却操作手段等の各種操作手段、遊技媒体取扱装置側外部接続端子板が設けられるようにしてもよい（いずれも不図示）。
【０３３５】
その際の遊技の流れとしては、例えば、遊技者が遊技媒体取扱装置に対し、上記いずれかの方法で有価価値を入金し、上記いずれかの貸出操作手段の操作に基づいて所定数の有価価値を減算し、遊技媒体取扱装置から遊技媒体管理装置に対し、減算した有価価値に対応する遊技媒体を増加させる。そして、遊技者は遊技を行い、さらに遊技媒体が必要な場合には上記操作を繰り返し行う。その後、遊技の結果、所定数の遊技媒体を獲得し、遊技を終了する際には、上記いずれかの返却操作手段を操作することにより遊技媒体管理装置から遊技媒体取扱装置に対し、遊技媒体数を送信し、遊技媒体取扱装置はその遊技媒体数を記録した記録媒体を排出する。また、遊技媒体管理装置は遊技媒体数を送信したときに、自身が記憶する遊技媒体数をクリアする。遊技者は排出された記録媒体を景品交換するために景品カウンター等に持って行くか、又は、記録された遊技媒体に基づいて他の遊技台で遊技を行うために遊技台を移動する。
【０３３６】
なお、上記例では、遊技媒体管理装置から全遊技媒体数を遊技媒体取扱装置に対して送信したが、遊技機又は遊技媒体取扱装置側で遊技者が所望する遊技媒体数のみを送信し、遊技者が所持する遊技媒体を分割して処理することとしてもよい。また、上記例では、遊技媒体取扱装置が記録媒体を排出することとしたが、現金又は現金等価物を排出するようにしてもよいし、携帯端末等に記憶させるようにしてもよい。また、遊技媒体取扱装置は遊技場の会員記録媒体を挿入可能とし、遊技媒体を会員記録媒体に貯留して、後日、該貯留された遊技媒体を用いて再遊技可能とするようにしてもよい。
【０３３７】
また、遊技機又は遊技媒体取扱装置において、図示しない所定の操作手段を操作することにより遊技媒体取扱装置又は遊技媒体管理装置に対し、遊技媒体又は有価価値のデータ通信をロックするロック操作を実行可能としてもよい。その際には、ワンタイムパスワード等の遊技者にしか知り得ない情報を設定することや遊技機又は遊技媒体取扱装置に設けられた撮像手段により遊技者を記憶するようにしてもよい。
【０３３８】
なお、遊技媒体管理装置は、上述のように、メダルレスでのみ遊技を可能とするものであってもよいし、物理的な遊技者の動作によって遊技媒体が投入され（掛けられ）、遊技媒体が払い出される形態、及び、メダルレスで遊技を可能とする形態の両方の形態で遊技を可能とするものであってもよい。後者の場合には、遊技媒体管理装置が、上述のメダルセレクタ４６やホッパ装置ＨＰを直接的に制御する方式を採用することもできるし、これらが主制御回路（主制御基板７１）によって制御され、その制御結果が送信されることに基づいて、遊技者が遊技の用に供することができる遊技媒体の総数を電磁的方法により記録し且つ表示する制御を行い得る方式を採用することもできる。
【０３３９】
また、上記例では、遊技媒体管理装置を、パチスロに適用する場合について説明しているが、例えば、遊技球を用いるスロットマシンや封入式遊技機においても同様に遊技媒体管理装置を設け、遊技者の遊技媒体が管理されるようにすることもできる。
【０３４０】
上述した遊技媒体管理装置を設けた場合には、遊技媒体が物理的に遊技に供される場合に比べて、遊技機内部のメダルセレクタ４６やホッパ装置ＨＰなどの装置を減らすことができ、遊技機の原価及び製造コストを削減できるのみならず、遊技者が直接遊技媒体に接触しないようにすることもでき、遊技環境が改善され、騒音も減らすことができるとともに、装置を減らしたことにより遊技機の消費電力を減らすことも可能になる。また、上述した遊技媒体管理装置を設けた場合には、遊技媒体や遊技媒体の投入口や払出口を介した不正行為を防止することができる。すなわち、上述した遊技媒体管理装置を設けた場合には、遊技機をとりまく種々の環境を改善可能な遊技機を提供することが可能になる。
【０３４１】
［発明の要旨］
＜要旨１＞
演出用ＬＥＤの駆動信号にデューティー比を設定してＰＷＭ制御を行うことで、画像や効果音に合わせてＬＥＤの点灯制御を行うものが特開２００７−２８２９２５号公報に提案されている。
【０３４２】
ＰＷＭ制御では、ＬＥＤドライバＩＣの出力端子から出力される出力信号をＯＮ/ＯＦＦ制御するときにスイッチングノイズが発生する。そのため、複数の出力端子を同時にＯＮ/ＯＦＦ制御すると、それぞれの端子から発せられるスイッチングノイズにより出力信号が干渉して演出用ＬＥＤなどのような発光体の発光がちらつく場合がある。
【０３４３】
本発明は、このような課題を解決するためになされたもので、発光体の発光がちらつくことを防止することができる遊技機を提供することを目的とする。
【０３４４】
本発明に係る遊技機は、
複数の発光体（各ＬＥＤモジュールの各ＬＥＤ）と、
前記発光体を駆動するドライバ（各ドライバ１２１〜１３１）と、
前記ドライバに駆動データを出力して制御する制御部（サブＣＰＵ１２０）と、を備え、
前記ドライバは、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記発光体を駆動させるための複数の出力端子（ＯＵＴ００〜ＯＵＴ２３）と、
前記入力端子に入力された駆動データに基づいて前記複数の出力端子のそれぞれから出力される駆動信号をＰＷＭ制御するＰＷＭ制御手段（各ドライバ１２１〜１３１）と、
前記ＰＷＭ制御手段によってＰＷＭ制御された駆動信号を遅延させることが可能な遅延手段（各ドライバ１２１〜１３１）と、を備えて構成され、
前記遅延手段は、前記複数の出力端子間で位相を異ならせて前記複数の出力端子から前記駆動信号の出力を開始可能である
構成を有している。
【０３４５】
この構成により、本発明に係る遊技機は、発光体を駆動するドライバから発せられるスイッチングノイズを低減させるために複数の出力端子間で順次、位相を異ならせて複数の出力端子から駆動信号の出力を開始することにより、複数の出力端子間で駆動信号が干渉することを防止するため、発光体の発光がちらつくことを防止することができる。
【０３４６】
本発明によれば、発光体の発光がちらつくことを防止することができる遊技機を提供することができる。
【０３４７】
＜要旨２＞
要旨１と同様な課題を解決するため、本発明に係る遊技機は、
複数の発光体（各ＬＥＤモジュールの各ＬＥＤ）と、
前記発光体を駆動するドライバ（各ドライバ１２１〜１３１）と、
前記ドライバに駆動データを出力して制御する制御部（サブＣＰＵ１２０）と、を備え、
前記ドライバは、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記発光体を駆動させるための複数の出力端子（ＯＵＴ００〜ＯＵＴ２３）と、
前記入力端子に入力された駆動データに基づいて前記複数の出力端子のそれぞれから出力される駆動信号をＰＷＭ制御するＰＷＭ制御手段（各ドライバ１２１〜１３１）と、
前記ＰＷＭ制御手段によってＰＷＭ制御された駆動信号を遅延させることが可能な遅延手段（各ドライバ１２１〜１３１）と、
前記複数の出力端子を所定数の端子毎のグループにグループ化する第１モード及び前記複数の出力端子をグループ化しない第２モードのいずれかのモードに前記遅延手段を設定可能なモード設定手段（各ドライバ１２１〜１３１）と、を備えて構成され、
前記遅延手段は、
前記第１モードでは、前記グループ間で位相を異ならせて前記複数の出力端子から前記駆動信号の出力を開始可能であり、
前記第２モードでは、前記複数の出力端子間で位相を異ならせて前記複数の出力端子から前記駆動信号の出力を開始可能である
構成を有している。
【０３４８】
この構成により、本発明に係る遊技機は、遅延手段が第２モードである場合には、発光体を駆動するドライバから発せられるスイッチングノイズを低減させるために複数の出力端子間で順次、位相を異ならせて複数の出力端子から駆動信号の出力を開始することにより、複数の出力端子間で駆動信号が干渉することを防止するため、発光体の発光がちらつくことを防止することができる。
【０３４９】
また、本発明に係る遊技機は、遅延手段が第１モードである場合には、発光体を駆動するドライバから発せられるスイッチングノイズを低減させるために複数の出力端子のグループ間で順次、位相を異ならせて複数の出力端子から駆動信号の出力を開始することにより、複数の出力端子のグループ間で駆動信号が干渉することを防止するため、発光体の発光がちらつくことを防止することができる。
【０３５０】
本発明によれば、発光体の発光がちらつくことを防止することができる遊技機を提供することができる。
【０３５１】
＜要旨３＞
要旨１と同様な課題を解決するため、本発明に係る遊技機は、
複数の発光体（例えば、各ＬＥＤモジュールの各ＬＥＤ）と、
前記発光体を駆動するドライバ（各ドライバ１２１〜１３１）と、
前記ドライバに駆動データを出力して制御する制御部（サブＣＰＵ１２０）と、を備え、
前記ドライバは、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記発光体を駆動させるための複数の出力端子（ＯＵＴ００〜ＯＵＴ２３）と、
前記入力端子に入力された駆動データに基づいて前記複数の出力端子のそれぞれから出力される駆動信号をＰＷＭ制御するＰＷＭ制御手段（各ドライバ１２１〜１３１）と、
前記ＰＷＭ制御手段によってＰＷＭ制御された駆動信号を遅延させることが可能な遅延手段（各ドライバ１２１〜１３１）と、を備えて構成され、
前記遅延手段は、前記複数の出力端子間で位相を異ならせて前記複数の出力端子から前記駆動信号の出力を開始可能であり、
前記ドライバは、前記入力端子に入力された駆動データの所定位置（内部設定用のレジスタ（アドレス００Ｈ）の所定のビット（７ビット目、ＢＩＴ６）に対応する位置）の値が所定値（０）である場合、前記複数の出力端子にそれぞれ接続された複数の発光体を非発光状態にする
構成を有している。
【０３５２】
この構成により、本発明に係る遊技機は、発光体を駆動するドライバから発せられるスイッチングノイズを低減させるために複数の出力端子間で順次、位相を異ならせて複数の出力端子から駆動信号の出力を開始することにより、複数の出力端子間で駆動信号が干渉することを防止するため、発光体の発光がちらつくことを防止することができる。
【０３５３】
また、本発明に係る遊技機は、ドライバの複数の出力端子にそれぞれ接続された複数の発光体を非発光状態にする場合に、各発光体を非発光状態にする駆動データによってドライバを制御することなく、所定位置の値が所定値である駆動データによってドライバを制御することができるため、制御部による制御を簡素化することができる。
【０３５４】
本発明によれば、発光体の発光がちらつくことを防止することができる遊技機を提供することができる。
【０３５５】
＜要旨４＞
この種の遊技機として、サブ制御装置とシリアル通信で接続されたＬＥＤドライバＩＣがサブ制御装置の制御により演出用ＬＥＤの発光駆動を行うものが特開２０１７−１４３８５４号公報に提案されている。
【０３５６】
一般的に、シリアル通信はノイズに弱く、演出用ＬＥＤなどの発光体の駆動データをシリアル回線で伝送した場合、シリアル回線にノイズが混入すると、ＬＥＤドライバＩＣが誤動作し、駆動データが表す発光パターンと異なる発光パターンで発光体を駆動する不具合が発生する場合がある。
【０３５７】
本発明は、このような課題を解決するためになされたもので、駆動データが表す発光パターンと異なる発光パターンで発光体が発光することを防止することができる遊技機を提供することを目的とする。
【０３５８】
本発明に係る遊技機は、
複数の発光体（ＬＥＤモジュールのＬＥＤ）と、
前記発光体を駆動するための複数のドライバ（ドライバ１２１〜１３１）と、
前記ドライバに前記発光体を駆動するための駆動データを出力して制御する制御部（サブＣＰＵ１２０）と、を備え、
前記ドライバは、前記制御部に接続されたマスタドライバ（ドライバ１２１）と、複数のスレーブドライバ（ドライバ１２２〜１３１）とにより構成され、
前記複数のスレーブドライバは、前記マスタドライバに直接、又は、他のスレーブドライバを介してそれぞれ接続され、
前記マスタドライバ及び前記スレーブドライバの各ドライバは、
ドライバアドレスを設定可能なアドレス設定端子（Ａ０〜Ａ５）と、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記入力端子に前記駆動データを差動信号で入力させるか、３線式シリアルで入力させるかを設定可能な入力設定端子（ＭＯＤＥ）と、
前記入力端子に入力された駆動データを差動信号で出力する出力回路（各ドライバ１２１〜１３１）と、
前記発光体を駆動させるための駆動回路（各ドライバ１２１〜１３１）と、を有して構成され、
前記制御部は、前記３線式シリアルで前記マスタドライバに前記駆動データを出力し、
前記マスタドライバは、前記入力端子に前記駆動データを３線式シリアルで入力させるように前記入力設定端子が設定され、
前記スレーブドライバは、前記入力端子に前記駆動データを差動信号で入力させるように前記入力設定端子が設定され、
前記マスタドライバ及び前記スレーブドライバの各ドライバは、前記入力端子に入力された前記駆動データのドライバアドレスが前記アドレス設定端子により設定されたドライバアドレスと一致した場合に、該駆動データに基づいて前記駆動回路より前記発光体を駆動させるための駆動信号を出力する
構成を有している。
【０３５９】
この構成により、本発明に係る遊技機は、一般的なシリアル信号よりノイズに強い差動信号で駆動データを各ドライバ間で転送することによって、各ドライバ間で駆動データを伝送する回線にノイズが混入することを防止するため、駆動データが表す発光パターンと異なる発光パターンで発光体が発光することを防止することができる。
【０３６０】
本発明によれば、駆動データが表す発光パターンと異なる発光パターンで発光体が発光することを防止することができる遊技機を提供することができる。
【０３６１】
＜要旨５＞
要旨４と同様な課題を解決するため、本発明に係る遊技機は、
複数の発光体（ＬＥＤモジュールのＬＥＤ）と、
前記発光体を駆動するための複数のドライバ（ドライバ１２１〜１３１）と、
前記ドライバに前記発光体を駆動するための駆動データを出力して制御する制御部（サブＣＰＵ１２０）と、を備え、
前記ドライバは、前記制御部に接続されたマスタドライバ（ドライバ１２１）と、複数のスレーブドライバ（例えば、ドライバ１２２〜１３１）とにより構成され、
前記複数のスレーブドライバは、前記マスタドライバに直接、又は、他のスレーブドライバを介してそれぞれ接続され、
前記マスタドライバ及び前記スレーブドライバの各ドライバは、
ドライバアドレスを設定可能なアドレス設定端子（Ａ０〜Ａ５）と、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記入力端子に前記駆動データを差動信号で入力させるか、３線式シリアルで入力させるかを設定可能な入力設定端子（ＭＯＤＥ）と、
前記入力端子に入力された駆動データを差動信号で出力する出力回路（各ドライバ１２１〜１３１）と、
前記発光体を駆動させるための駆動回路（例えば、各ドライバ１２１〜１３１）と、を有して構成され、
前記制御部は、前記３線式シリアルで前記マスタドライバに前記駆動データを出力し、
前記マスタドライバは、前記入力端子に前記駆動データを３線式シリアルで入力させるように前記入力設定端子が設定され、
前記スレーブドライバは、前記入力端子に前記駆動データを差動信号で入力させるように前記入力設定端子が設定され、
前記マスタドライバ及び前記スレーブドライバの各ドライバは、前記入力端子に入力された前記駆動データのドライバアドレスが前記アドレス設定端子により設定されたドライバアドレスと一致した場合に、該駆動データに基づいて前記駆動回路より前記発光体を駆動させるための駆動信号を出力し、
前記マスタドライバの前記駆動回路は、オープンドレイン出力であり、
前記スレーブドライバの前記駆動回路は、定電流シンク出力である
構成を有している。
【０３６２】
この構成により、本発明に係る遊技機は、一般的なシリアル信号よりノイズに強い差動信号で駆動データを各ドライバ間で転送することによって、各ドライバ間で駆動データを伝送する回線にノイズが混入することを防止するため、駆動データが表す発光パターンと異なる発光パターンで発光体が発光することを防止することができる。
【０３６３】
また、本発明に係る遊技機は、マスタドライバの駆動回路がオープンドレイン出力であるため、機能の拡張性を担保することができ、スレーブドライバの駆動回路が定電流シンク出力であるため、消費電流を抑制することができる。
【０３６４】
本発明によれば、駆動データが表す発光パターンと異なる発光パターンで発光体が発光することを防止することができる遊技機を提供することができる。
【０３６５】
＜要旨６＞
要旨４と同様な課題を解決するため、本発明に係る遊技機は、
複数の発光体（ＬＥＤモジュールのＬＥＤ）と、
前記発光体を駆動するための複数のドライバ（ドライバ１２１〜１３１）と、
前記ドライバに前記発光体を駆動するための駆動データを出力して制御する制御部（サブＣＰＵ１２０）と、を備え、
前記ドライバは、前記制御部に接続されたマスタドライバ（ドライバ１２１）と、複数のスレーブドライバ（例えば、ドライバ１２２〜１３１）とにより構成され、
前記複数のスレーブドライバは、前記マスタドライバに直接、又は、他のスレーブドライバを介してそれぞれ接続され、
前記マスタドライバ及び前記スレーブドライバの各ドライバは、
ドライバアドレスを設定可能なアドレス設定端子（Ａ０〜Ａ５）と、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記入力端子に前記駆動データを差動信号で入力させるか、３線式シリアルで入力させるかを設定可能な入力設定端子（ＭＯＤＥ）と、
前記入力端子に入力された駆動データを差動信号で出力する出力回路（各ドライバ１２１〜１３１）と、
前記発光体を駆動させるための駆動回路（例えば、各ドライバ１２１〜１３１）と、を有して構成され、
前記制御部は、前記３線式シリアルで前記マスタドライバに前記駆動データを出力し、
前記マスタドライバは、前記入力端子に前記駆動データを３線式シリアルで入力させるように前記入力設定端子が設定され、
前記スレーブドライバは、前記入力端子に前記駆動データを差動信号で入力させるように前記入力設定端子が設定され、
前記マスタドライバ及び前記スレーブドライバの各ドライバは、前記入力端子に入力された前記駆動データのドライバアドレスが前記アドレス設定端子により設定されたドライバアドレスと一致した場合に、該駆動データに基づいて前記駆動回路より前記発光体を駆動させるための駆動信号を出力し、
前記マスタドライバ及び前記スレーブドライバの各ドライバ間は、
前記駆動データを伝送するためのデータポジティブ及びデータネガティブのペアラインと、
前記データポジティブ及び前記データネガティブのペアラインにより伝送される駆動データの同期用クロックを伝送するためのクロックポジティブ及びクロックネガティブのペアラインとによって接続されている
構成を有している。
【０３６６】
この構成により、本発明に係る遊技機は、一般的なシリアル信号よりノイズに強い差動信号で駆動データを各ドライバ間で転送することによって、各ドライバ間で駆動データを伝送する回線にノイズが混入することを防止するため、駆動データが表す発光パターンと異なる発光パターンで発光体が発光することを防止することができる。
【０３６７】
また、本発明に係る遊技機は、シングルエンド方式よりも、ノイズに強いデータポジティブ及びデータネガティブのペアラインで駆動データを各ドライバ間で転送し、ノイズに強いクロックポジティブ及びクロックネガティブのペアラインで駆動データの同期用クロックを各ドライバ間で転送するため、各ドライバ間で駆動データ及びクロックを伝送する各回線にノイズが混入することを防止するため、駆動データが表す発光パターンと異なる発光パターンで発光体が発光することを防止することができる。
【０３６８】
本発明によれば、駆動データが表す発光パターンと異なる発光パターンで発光体が発光することを防止することができる遊技機を提供することができる。
【０３６９】
＜要旨７＞
要旨４と同様な課題を解決するため、本発明に係る遊技機は、
複数の発光体（ＬＥＤモジュールのＬＥＤ）と、
前記発光体を駆動するための複数のドライバ（ドライバ１２１〜１３１）と、
前記ドライバに前記発光体を駆動するための駆動データを出力して制御する制御部（サブＣＰＵ１２０）と、を備え、
前記ドライバは、前記制御部に接続されたマスタドライバ（ドライバ１２１）と、複数のスレーブドライバ（例えば、ドライバ１２２〜１３１）とにより構成され、
前記複数のスレーブドライバは、前記マスタドライバに直接、又は、他のスレーブドライバを介してそれぞれ接続され、
前記マスタドライバ及び前記スレーブドライバの各ドライバは、
ドライバアドレスを設定可能なアドレス設定端子（Ａ０〜Ａ５）と、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記入力端子に前記駆動データを差動信号で入力させるか、３線式シリアルで入力させるかを設定可能な入力設定端子（ＭＯＤＥ）と、
前記入力端子に入力された駆動データを差動信号で出力する出力回路（各ドライバ１２１〜１３１）と、
前記発光体を駆動させるための駆動回路（例えば、各ドライバ１２１〜１３１）と、を有して構成され、
前記制御部は、前記３線式シリアルで前記マスタドライバに前記駆動データを出力し、
前記マスタドライバは、前記入力端子に前記駆動データを３線式シリアルで入力させるように前記入力設定端子が設定され、
前記スレーブドライバは、前記入力端子に前記駆動データを差動信号で入力させるように前記入力設定端子が設定され、
前記マスタドライバ及び前記スレーブドライバの各ドライバは、前記入力端子に入力された前記駆動データのドライバアドレスが前記アドレス設定端子により設定されたドライバアドレスと一致した場合に、該駆動データに基づいて前記駆動回路より前記発光体を駆動させるための駆動信号を出力し、
前記マスタドライバ及び前記スレーブドライバの各ドライバの前記出力回路は、前記入力端子に入力された駆動データを片方向通信で出力する
構成を有している。
【０３７０】
この構成により、本発明に係る遊技機は、一般的なシリアル信号よりノイズに強い差動信号で駆動データを各ドライバ間で転送することによって、各ドライバ間で駆動データを伝送する回線にノイズが混入することを防止するため、駆動データが表す発光パターンと異なる発光パターンで発光体が発光することを防止することができる。
【０３７１】
また、本発明に係る遊技機は、各ドライバの出力回路が駆動データを片方向通信で出力するため、中継先のドライバにＡＣＫなどの応答信号を返信させるためにかかる負荷を削減することができる。
【０３７２】
本発明によれば、駆動データが表す発光パターンと異なる発光パターンで発光体が発光することを防止することができる遊技機を提供することができる。
【０３７３】
＜要旨８＞
要旨４と同様な課題を解決するため、本発明に係る遊技機は、
複数の発光体（ＬＥＤモジュールのＬＥＤ）と、
前記発光体を駆動するための複数のドライバ（ドライバ１２１〜１３１）と、
前記ドライバに前記発光体を駆動するための駆動データを出力して制御する制御部（サブＣＰＵ１２０）と、を備え、
前記ドライバは、前記制御部に接続されたマスタドライバ（ドライバ１２１）と、複数のスレーブドライバ（例えば、ドライバ１２２〜１３１）とにより構成され、
前記複数のスレーブドライバは、前記マスタドライバに直接、又は、他のスレーブドライバを介してそれぞれ接続され、
前記マスタドライバ及び前記スレーブドライバの各ドライバは、
ドライバアドレスを設定可能なアドレス設定端子（Ａ０〜Ａ５）と、
前記駆動データをシリアル通信で入力するための入力端子（ＳＣＬ＿ＩＮｐ、ＳＣＬ＿ＩＮｎ、ＳＤＡ＿ＩＮｐ、ＳＤＡ＿ＩＮｎ）と、
前記入力端子に前記駆動データを差動信号で入力させるか、３線式シリアルで入力させるかを設定可能な入力設定端子（ＭＯＤＥ）と、
前記入力端子に入力された駆動データを差動信号で出力する出力回路（各ドライバ１２１〜１３１）と、
前記発光体を駆動させるための駆動回路（例えば、各ドライバ１２１〜１３１）と、を有して構成され、
前記制御部は、前記３線式シリアルで前記マスタドライバに前記駆動データを出力し、
前記マスタドライバは、前記入力端子に前記駆動データを３線式シリアルで入力させるように前記入力設定端子が設定され、
前記スレーブドライバは、前記入力端子に前記駆動データを差動信号で入力させるように前記入力設定端子が設定され、
前記マスタドライバ及び前記スレーブドライバの各ドライバは、前記入力端子に入力された前記駆動データのドライバアドレスが前記アドレス設定端子により設定されたドライバアドレスと一致した場合に、該駆動データに基づいて前記駆動回路より前記発光体を駆動させるための駆動信号を出力し、
前記マスタドライバは、前記３線式シリアルの入力に含まれるデータ入力（ＳＤＡ＿ＩＮｐ）、クロック入力（ＳＣＬ＿ＩＮｐ）及びチップセレクト入力（ＳＣＬ＿ＩＮｎ）のうち、前記チップセレクト入力に一定時間（例えば、２００ｎｓ）以上のパルスが入力された場合には、前記出力回路に直接に、又は、他のスレーブドライバを介して接続されているスレーブドライバを初期化させる信号を前記出力回路から出力する
構成を有している。
【０３７４】
この構成により、本発明に係る遊技機は、一般的なシリアル信号よりノイズに強い差動信号で駆動データを各ドライバ間で転送することによって、各ドライバ間で駆動データを伝送する回線にノイズが混入することを防止するため、駆動データが表す発光パターンと異なる発光パターンで発光体が発光することを防止することができる。
【０３７５】
また、本発明に係る遊技機は、全てのスレーブドライバを初期化させる場合に、各スレーブドライバを初期化させるデータによって各スレーブドライバを制御することなく、マスタドライバのチップセレクト入力に一定時間以上のパルスを入力させることによって全てのスレーブドライバを初期化することができるため、制御部によるドライバ初期化時の制御を簡素化することができる。
【０３７６】
本発明によれば、駆動データが表す発光パターンと異なる発光パターンで発光体が発光することを防止することができる遊技機を提供することができる。
【符号の説明】
【０３７７】
１  遊技機
９１ａ〜９１ｐ、１０３ａ、１０３ｂ、１０４ａ〜１０４ｆ、１０５ａ〜１０５ｊ、１０６ａ〜１０６ｃ、１０７ａ、１０８ａ、１０８ｂ、１０９ａ、１０９ｂ、１１０ａ〜１１０ｆ、１１１ａ〜１１１ｆ、１１２ａ〜１１２ｆ、１２３ａ〜１２３ｄ、１２４ａ〜１２４ｄ、１２５ａ〜１２５ｄ、１２６ａ〜１２６ｐ、１３０ａ〜１３０ｍ、１３１ａ〜１３１ｍ  ＬＥＤモジュール
１２０  サブＣＰＵ（制御部）
１２１  ドライバＩＣ（ドライバ、マスタドライバ）
１２２〜１３１  ドライバＩＣ（ドライバ、スレーブドライバ）
Ａ０〜Ａ５  アドレス設定端子
ＭＯＤＥ  入力設定端子
ＯＵＴ００〜ＯＵＴ２３（出力端子）
ＳＣＬ＿ＩＮｐ  入力端子（クロック入力）
ＳＣＬ＿ＩＮｎ  入力端子（チップセレクト入力）
ＳＤＡ＿ＩＮｐ  入力端子（データ入力）
ＳＤＡ＿ＩＮｎ  入力端子
【図１】
2019166009.tif 000003
【図２】
2019166009.tif 000004
【図３】
2019166009.tif 000005
【図４】
2019166009.tif 000006
【図５】
2019166009.tif 000007
【図６】
2019166009.tif 000008
【図７】
2019166009.tif 000009
【図８】
2019166009.tif 000010
【図９】
2019166009.tif 000011
【図１０】
2019166009.tif 000012
【図１１】
2019166009.tif 000013
【図１２】
2019166009.tif 000014
【図１３】
2019166009.tif 000015
【図１４】
2019166009.tif 000016
【図１５】
2019166009.tif 000017
【図１６】
2019166009.tif 000018
【図１７】
2019166009.tif 000019
【図１８】
2019166009.tif 000020
【図１９】
2019166009.tif 000021
【図２０】
2019166009.tif 000022
【図２１】
2019166009.tif 000023
【図２２】
2019166009.tif 000024
【図２３】
2019166009.tif 000025